(57)【要約】【課題】  マスターレンズの焦点距離の変換とバックフォーカス拡張機能を有し、良好な光学性能を達成したコンバータレンズを提供する。【解決手段】  交換レンズと撮像装置の間に配置され、交換レンズによる結像位置を変更するコンバータレンズは、光軸上でコンバータレンズの第一面から物点までの空気換算距離ｘと、前記コンバータレンズの最も像側の面から前記コンバータレンズの像点までの空気換算距離ｙとしたとき、１．４０＜ｙ／ｘ＜３．００  を満足することを特徴とする。【選択図】  図１
2018060093.tif 000002
【特許請求の範囲】
【請求項１】
交換レンズと撮像装置の間に配置され、交換レンズによる結像位置を変更するコンバータレンズであって、
光軸上でコンバータレンズの第一面から物点までの空気換算距離ｘと、前記コンバータレンズの最も像側の面から前記コンバータレンズの像点までの空気換算距離ｙとしたとき、
１．４０＜ｙ／ｘ＜３．００
を満足することを特徴とするコンバータレンズ。
【請求項２】
前記コンバータレンズを前記交換レンズに装着したとき、前記交換レンズと前記コンバータレンズの合成焦点距離が、前記交換レンズの焦点距離よりも長くなることを特徴とする請求項１に記載のコンバータレンズ。
【請求項３】
前記コンバータレンズの横倍率をβとしたとき、
１．３＜β＜４．５
を満足することを特徴とする請求項２に記載のコンバータレンズ。
【請求項４】
最も物体側に負の屈折力を持つレンズまたは接合レンズを有し、コンバータレンズの全ての負レンズの中で最も小さいアッベ数をνｄｍｉｎとしたとき、
１０＜νｄｍｉｎ＜３２
なる条件を満足することを特徴とする請求項１乃至３のいずれか１項に記載のコンバータレンズ。
【請求項５】
最も物体側に負の屈折力を有する単レンズまたは接合レンズを有し、最も像側に正の屈折力を有する単レンズまたは接合レンズを有し、少なくとも１枚の正の屈折力を有するレンズと少なくとも１枚の負の屈折力を有するレンズを有する、ことを特徴とする請求項１乃至４のいずれか１項に記載のコンバータレンズ。
【請求項６】
最も物体側のレンズ面頂点から最も像側のレンズ面頂点までの距離をＬｃとしたとき、
０．３＜ｘ／Ｌｃ＜２．１
１．０＜ｙ／Ｌｃ＜５．０
を満足することを特徴とする請求項１乃至５のいずれか１項に記載のコンバータレンズ。
【請求項７】
コンバータレンズの焦点距離をｆＣ、最も物体側に配置されたレンズまたは接合レンズの焦点距離をｆ１としたとき、
０＜｜ｆ１／ｆＣ｜＜０．８
を満足することを特徴とする請求項１乃至６のいずれか１項に記載のコンバータレンズ。
【請求項８】
前記コンバータレンズにおいて、正の屈折力を有する全てのレンズの平均屈折率をＮｐ、負の屈折力を有する全てのレンズの平均屈折率をＮｎとしたとき、
０．６＜Ｎｐ／Ｎｎ＜０．９４
を満足することを特徴とする請求項１乃至７のいずれか１項に記載のコンバータレンズ。
【請求項９】
最も物体側に配置されたレンズまたは接合レンズの平均アッベ数をｖ１ａｖｅとするとき、
２９＜ｖ１ａｖｅ＜８５
を満足することを特徴とする請求項１乃至８のいずれか１項に記載のコンバータレンズ。
【請求項１０】
最も物体側の負の屈折力を持つレンズまたは接合レンズより像側のレンズの中で、最も物体側の接合レンズの正レンズのアッベ数をνｄｐ、負レンズのアッベ数をνｄｎとしたとき、
４．０＜νｄｎ−νｄｐ＜４０．０
なる条件を満足することを特徴とする請求項１乃至９のいずれか１項に記載のコンバータレンズ。
【請求項１１】
最も像側の負レンズの屈折率をｎｄｎｉ、アッベ数をνｄｎｉ、ｇ線とｆ線に関する部分分散比をθｇｆとしたとき、
１．８＜ｎｄｎｉ＜２．５
１０＜νｄｎｉ＜３０
０．５９０＜θｇｆ＜０．６８０
なる条件を満足することを特徴とする請求項１乃至１０のいずれか１項に記載のコンバータレンズ。
【請求項１２】
最も物体側のレンズの焦点距離をｆ１、その像側に配置されたレンズの焦点距離をｆ２としたとき、
−５．０＜（ｆ１×ｆ２）／｛（ｆ１＋ｆ２）×Ｌｃ｝＜０
なる条件を満足することを特徴とする請求項１または１１のいずれか１項に記載のコンバータレンズ。
【請求項１３】
最も物体側のレンズが像側に凹面を向き、最も像側のレンズが像側に凸面を向くように配置されていることを特徴とする請求項１乃至１２のいずれか１項に記載のコンバータレンズ。
【請求項１４】
前記コンバータレンズの最も物体側のレンズ面は物体側に凸の形状であることを特徴とする請求項１乃至１３のいずれか１項に記載のコンバータレンズ。
【請求項１５】
正の屈折力を有するレンズを３枚以上有することを特徴とする請求項１乃至１４のいずれか１項に記載のコンバータレンズ。
【請求項１６】
前記交換レンズと色分解光学系を持つ撮像装置の間に配置されることを特徴とする請求項１乃至１５のいずれか１項に記載のコンバータレンズ。
【請求項１７】
請求項１乃至１６のいずれか１項に記載のコンバータレンズと固体撮像素子を有することを特徴とする撮像装置。
【発明の詳細な説明】
【技術分野】
【０００１】
本発明は、マスターレンズ系の像側に着脱可能に取り付けられ、全系の焦点距離を変位させると共に、マスターレンズのバックフォーカスを拡大する機能をもつリアコンバータレンズに関し、例えば放送用テレビカメラ、映画用カメラ、ビデオカメラ等に好適なものである。
【背景技術】
【０００２】
従来、放送用テレビカメラ、映画用カメラ、ビデオカメラ等では、マスターレンズと撮像素子の間にコンバータレンズを配置し、撮影光学系の焦点距離を変位させる手法が種々提案されている。また、異なるカメラフォーマットに対応することが可能となるコンバータレンズが知られている。例えば、特許文献１では、マスターレンズの焦点距離を長焦点化させるリアコンバータレンズが提案されている。特許文献２、３では、色分解光学系を持つ２／３インチフォーマットカメラ専用レンズと撮像装置の間に配することで、スーパー３５ｍｍフォーマットカメラに取り付け可能となるコンバータレンズを提案している。
【先行技術文献】
【特許文献】
【０００３】
【特許文献１】特開２００９−８０１７６号公報
【特許文献２】特開２０１４−１７００４３号公報
【特許文献３】特開２０１５−２２５２０４号公報
【発明の概要】
【発明が解決しようとする課題】
【０００４】
近年、テレビカメラや映画用カメラ、写真用カメラ、ビデオカメラ等の撮像装置は、高画素・高感度が望まれている。高画素化を実現するためには画素ピッチを細かくする必要あるが、これは高感度化に反するものとなり、結果大きな撮像素子を搭載した撮像装置が要求されている。一方で、ユーザーとしては既存の交換レンズ資産を利用したいという要望がある。そのため、例えば２／３インチフォーマットの交換レンズを、より大きい撮像素子を有した撮像装置に用いたいというニーズが強い。この場合、交換レンズと撮像素子の間に、交換レンズの焦点距離を長焦点化させる光学系を配置し、交換レンズのイメージサイズを拡大させる必要がある。また、小さなセンサーサイズの交換レンズのフランジバックは、より大きいセンサーサイズの交換レンズのフランジバックに比べて一般に短くなっているため、バックフォーカスの拡張も同時に必要となる。また、コンバータレンズは、交換レンズと撮像装置の間に配置されるため、全長を長くしないように、可能な限り小型であることが望ましい。
【０００５】
しかしながら、特許文献１、２、３のコンバータレンズを交換レンズに装着した場合、装着後のバックフォーカスは元のバックフォーカスからほぼ不変、または減少となっている。
【０００６】
そこで本発明は、交換レンズの焦点距離を変化させる機能とバックフォーカスを拡大させる機能を共に有し、異なるフォーマットの交換レンズと撮像装置を組み合わせて使用でき、且つ、小型化と高い光学性能を両立したコンバータレンズの提供を目的とする。
【課題を解決するための手段】
【０００７】
上記目的を達成するための本発明のコンバータレンズは、交換レンズと撮像装置の間に配置され、交換レンズによる結像位置を変更するコンバータレンズであって、光軸上でコンバータレンズの第一面から物点までの空気換算距離ｘと、前記コンバータレンズの最も像側の面から前記コンバータレンズの像点までの空気換算距離ｙとしたとき、
１．４０＜ｙ／x＜３．００
を満足することを特徴とする。
【発明の効果】
【０００８】
本発明によれば、マスターレンズの焦点距離を変位させると共に、マスターレンズのバックフォーカスを拡大する機能を有し、異なるフォーマットの交換レンズと撮像装置を組み合わせて使用でき、且つ、小型で良好な光学性能を有したコンバータレンズが得られる。
【図面の簡単な説明】
【０００９】
【図１】実施例１のコンバータレンズをマスターレンズ１の像面側に装着したときの広角端における無限遠合焦時のレンズ断面図（Ａ）、コンバータレンズのみの断面図（Ｂ）
【図２】マスターレンズ１の広角端における無限遠合焦時のレンズ断面図
【図３】マスターレンズ１の広角端における無限遠合焦時の縦収差図
【図４】実施例１のコンバータレンズをマスターレンズ１の像面側に装着したときの、広角端における無限遠合焦時の縦収差図
【図５】実施例２のコンバータレンズをマスターレンズ１の像面側に装着したときの広角端における無限遠合焦時のレンズ断面図（Ａ）、コンバータレンズのみの断面図（Ｂ）
【図６】実施例２のコンバータレンズをマスターレンズ１の像面側に装着したときの、広角端における無限遠合焦時の縦収差図
【図７】実施例３のコンバータレンズをマスターレンズ１の像面側に装着したときの広角端における無限遠合焦時のレンズ断面図（Ａ）、コンバータレンズのみの断面図（Ｂ）
【図８】実施例３のコンバータレンズをマスターレンズ１の像面側に装着したときの、広角端における無限遠合焦時の縦収差図
【図９】実施例４のコンバータレンズをマスターレンズ１の像面側に装着したときの広角端における無限遠合焦時のレンズ断面図（Ａ）、コンバータレンズのみの断面図（Ｂ）
【図１０】実施例４のコンバータレンズをマスターレンズ１の像面側に装着したときの、広角端における無限遠合焦時の縦収差図
【図１１】実施例５のコンバータレンズをマスターレンズ１の像面側に装着したときの広角端における無限遠合焦時のレンズ断面図（Ａ）、コンバータレンズのみの断面図（Ｂ）
【図１２】実施例５のコンバータレンズをマスターレンズ１の像面側に装着したときの、広角端における無限遠合焦時の縦収差図
【図１３】実施例６のコンバータレンズをマスターレンズ１の像面側に装着したときの広角端における無限遠合焦時のレンズ断面図（Ａ）、コンバータレンズのみの断面図（Ｂ）
【図１４】実施例６のコンバータレンズをマスターレンズ１の像面側に装着したときの、広角端における無限遠合焦時の縦収差図
【図１５】実施例７のコンバータレンズをマスターレンズ２の像面側に装着したときの広角端における無限遠合焦時のレンズ断面図（Ａ）、コンバータレンズのみの断面図（Ｂ）
【図１６】マスターレンズ２の広角端における無限遠合焦時のレンズ断面図
【図１７】マスターレンズ２の広角端における無限遠合焦時の縦収差図
【図１８】実施例７のコンバータレンズをマスターレンズ２の像面側に装着したときの広角端における無限遠合焦時の縦収差図
【図１９】実施例８のコンバータレンズをマスターレンズ３の像面側に装着したときの無限遠物体に合焦したときのレンズ断面図（Ａ）、コンバータレンズのみのレンズ断面図（Ｂ）
【図２０】マスターレンズ３の広角端における無限遠合焦時のレンズ断面図
【図２１】マスターレンズ３の広角端における無限遠合焦時の縦収差図
【図２２】実施例８のコンバータレンズをマスターレンズ３の像面側に装着したときの広角端における無限遠物体に合焦したときの収差図
【図２３】実施例９のコンバータレンズをマスターレンズ３の像面側に装着したときの無限遠物体に合焦したときのレンズ断面図（Ａ）、コンバータレンズのみのレンズ断面図（Ｂ）
【図２４】実施例９のコンバータレンズをマスターレンズ３の像面側に装着したときの広角端における無限遠物体に合焦したときの収差図
【図２５】実施例１０のコンバータレンズをマスターレンズ３の像面側に装着したときの無限遠物体に合焦したときのレンズ断面図（Ａ）、コンバータレンズのみのレンズ断面図（Ｂ）
【図２６】実施例１０のコンバータレンズをマスターレンズ３の像面側に装着したときの広角端における無限遠物体に合焦したときの収差図
【図２７】実施例１１のコンバータレンズをマスターレンズ３の像面側に装着したときの無限遠物体に合焦したときのレンズ断面図（Ａ）、コンバータレンズのみのレンズ断面図（Ｂ）
【図２８】実施例１１のコンバータレンズをマスターレンズ３の像面側に装着したときの広角端における無限遠物体に合焦したときの収差図
【図２９】実施例１２のコンバータレンズをマスターレンズ３の像面側に装着したときの無限遠物体に合焦したときのレンズ断面図（Ａ）、コンバータレンズのみのレンズ断面図（Ｂ）
【図３０】実施例１２のコンバータレンズをマスターレンズ３の像面側に装着したときの広角端における無限遠物体に合焦したときの収差図
【図３１】本発明の撮像装置の要部概略図
【発明を実施するための形態】
【００１０】
以下に、本発明の好ましい実施の形態を、添付の図面を参照しながら詳細に説明する。
本発明のコンバータレンズは、撮像用のマスターレンズの像側に配置され、交換レンズの結像位置を変更するコンバータレンズである。
【００１１】
図１（Ａ）は本発明の実施例１（数値実施例１）のコンバータレンズに撮影用のマスターレンズ光学系を取り付け無限遠に合焦しているときのレンズ断面図である。マスターレンズ光学系は複数のレンズ群からなるズームレンズであって、所定レンズ群の間隔を変化させることでズームを行っている。（Ｂ）は本発明の実施例１（数値実施例１）のコンバータレンズのみのレンズ断面図である。像面の位置はマスターレンズ光学系に取り付けたときの位置を空気換算間隔で示している。
【００１２】
図２は、本発明の各実施例（実施例１〜６）のコンバータレンズに装着される、一例としてのマスターレンズ１（ＭＬ）の広角端で無限遠に合焦しているときのレンズ断面図である。図３は、マスターレンズ１の広角端で無限遠に合焦しているときの縦収差図である。また、焦点距離の値は、後述する数値実施例をｍｍ単位で表したときの値である。これは以下の数値実施例においても、全て同じである。
【００１３】
図４は実施例１（数値実施例１）のコンバータレンズをマスターレンズ１の像面側に装着したときの広角端における無限遠合焦時の縦収差図の収差図である。但し、収差図は無限遠に合焦しているときを図示している。また、焦点距離は数値実施例の値をｍｍ単位で表したときの値である。これは以下の各実施例において全て同じである。
【００１４】
図５、７、９、１１、１３、１５、１９、２３、２５、２７、２９はそれぞれ実施例２〜１２（数値実施例２〜１２）の各断面図である。
図６、８、１０、１２、１４、１６、１８、２２、２４、２６、２８、３０はそれぞれ実施例２〜１２（数値実施例２〜１２）の各収差図である。
図１６、２０はマスターレンズ２、３の断面図であり、図１７、２１はそれぞれマスターレンズ２、３それぞれの収差図である。
図３１は本発明のコンバータレンズを装着したズームレンズ装置を有する撮像装置の要部概略図である。
【００１５】
各レンズ断面図において、左方が被写体（物体）側（前方）で、且つ、撮像光学系側であり、右方が像側（後方）である。レンズ断面図において、ＭＬは撮影用のマスターレンズ光学系であり、ＣＬはマスターレンズ光学系と撮像面の間に配するコンバータレンズである。
Ｉは撮像面であり、光学系で形成された像を受光し、光電変換する固体撮像素子（光電変換素子）等の撮像面に相当している。
【００１６】
収差図において、実線はｅ線，二点鎖線はｇ線、一点鎖線はＣ線、間隔の長い点線はＦ線である。非点収差図における点線と実線は各々メリディオナル像面、サジタル像面である。ωは半画角、ＦｎｏはＦナンバーである。
【００１７】
本発明のコンバータレンズは交換レンズの像面側に配置され、光軸上でコンバータレンズの第一面から物点までの空気換算距離ｘと、コンバータレンズの最終面からコンバータレンズの像点までの空気換算距離ｙが、条件式（１）を満足する。
１．４０＜ｙ／ｘ＜３．００  ・・・（１）
条件式（１）において、コンバータレンズをマスターレンズに対して装着した場合に、距離ｘはコンバータレンズ光学系の屈折力を持つレンズのうち最も物体側のレンズ面頂点から、マスターレンズ単独での像点までの空気換算距離に等しい。距離ｙはマスターレンズにコンバータレンズを装着したときの空気換算のバックフォーカスに等しい。
【００１８】
条件式（１）を満たすことにより、マスターレンズが対応するセンサーサイズの変換時に、十分なバックフォーカスを確保することが可能である。
条件式（１）の上限を超えると、マスターレンズのバックフォーカス拡張のために必要なレンズ枚数が増え、小型化を達成することができない。更には、コンバータレンズ内の特に負レンズのパワーが大きくなり、特に軸外諸収差を良好に補正することが困難となる。
条件式（１）の下限を超えるとセンサーサイズ変換で必要となるバックフォーカスを十分に確保できない。
【００１９】
更に本発明のコンバータレンズをマスターレンズに装着したとき、前記マスターレンズと前記コンバータレンズの合成焦点距離が、前記マスターレンズの焦点距離よりも長くなることが望ましい。
前記マスターレンズと前記コンバータレンズの合成焦点距離が前記マスターレンズの焦点距離よりも短くなる場合には、前記マスターレンズのバックフォーカスを拡大しながら焦点距離を短縮する。それにより、小型化と両立するためには前記コンバータレンズの各レンズのパワーが過大となり、諸収差を良好に補正することが困難となる。
【００２０】
更に本発明のコンバータレンズの横倍率をβとしたとき、条件式（２）を満たすことが望ましい。
１．３＜β＜４．５  ・・・（２）
条件式（２）を満たすことにより、マスターレンズのバックフォーカスを拡大するのに適したレンズ構成とすることができる。
条件式（２）の上限を超えると、バックフォーカスの拡大と同時に横倍率も大きくするため、十分な周辺光量を確保するためには像面寄りのレンズ径が大きくなり、特に軸外諸収差を良好に補正することが困難となる。条件式（２）の下限を超えると、センサーサイズ変換に伴うバックフォーカスの拡大を必要としなくなり、本特許の適用される範囲と好ましくない。
【００２１】
更にコンバータレンズの全ての負レンズの中で最も小さいアッベ数をνｄｍｉｎとしたとき、条件式（３）を満たすことが望ましい。
１０＜νｄｍｉｎ＜３２  ・・・（３）
最も物体側に負の屈折力を持つレンズまたは接合レンズを有することで、バックフォーカスを伸ばしつつ、軸外諸収差を補正することが容易となる。
条件式（３）は全ての負レンズの中で最も高い分散を持つ負レンズのアッベ数を規定している。小さいアッベ数を持つ負レンズにより、少ない枚数で小型化と高性能化の両立が可能となる。
条件式（３）の上限を超えると、軸上色収差と倍率色収差の両方を補正するためには、負レンズの分散が小さ過ぎるため、コンバータレンズの枚数が増え、大型化してしまう。条件式（３）の下限を超えると、負レンズが十分なパワーを持つことができず、軸上色収差と倍率色収差の両方を補正することが困難となる。
【００２２】
更に前記コンバータレンズの光学系において、最も物体側の単レンズまたは接合レンズが負のパワーをもち、最も像側の単レンズまたは接合レンズが正のパワーをもち、他少なくとも１枚の正レンズと少なくとも１枚の負レンズを有することが望ましい。
【００２３】
最も物体側のレンズまたは接合レンズが負のパワーをもち、最も像側のレンズまたは最も像側の接合レンズが正のパワーをもつことで、最も物体側の負レンズによる光線の発散の効果を大きく得られるので、バックフォーカスの拡大に適したレンズ構成とすることが可能である。このようなレンズ構成では、最も物体側のレンズまたは接合レンズのパワーが大きい。そのため、最も物体側のレンズまたは接合レンズで発生した色収差を補正するために、最も像面側のレンズまたは接合レンズを除き他少なくとも１枚の正レンズと少なくとも１枚の負レンズを有することで、各レンズの分散の違いから色収差を補正可能としている。また、前記コンバータレンズの光学系内で、屈折力をもつ最も物体側の単レンズまたは接合レンズよりも更に物体側や、屈折力をもつ最も像側の単レンズまたは接合レンズよりも更に像側を含む光学系内に、実質的に屈折力を持たないフィルタ等を追加しても良い。
【００２４】
更に前記コンバータレンズの光学系において、最も物体側のレンズ面頂点から最も像側のレンズ面頂点までの距離をＬｃとしたとき条件式（４）、（５）を満たすことが望ましい。
０．３＜ｘ／Ｌｃ＜２．１  ・・・（４）
１．０＜ｙ／Ｌｃ＜５．０  ・・・（５）
条件式（４）、（５）を満たすことにより、小型化と諸収差抑制を両立することができる。
【００２５】
条件式（４）の上限を超えると、マスターレンズにコンバータレンズを装着した際のバックフォーカスを拡張するために、コンバータレンズの最も物体側のレンズまたは接合レンズの屈折力を大きくする必要が生じ、小型化と球面・コマ収差の補正が両立できなくなる。条件式（４）の下限を超えると、コンバータレンズ全長が必要以上に大きくなってしまい、本発明が適用される範囲として好ましくない。
条件式（５）の上限を超えると、コンバータレンズの全厚が相対的に短過ぎるために、保持するための機構を入れる空間を確保することが困難となる。条件式（５）の下限を超えると、コンバータレンズの全厚が相対的に長過ぎるため、レンズが大型化してしまう。
【００２６】
更に前記コンバータレンズの光学系において、最も物体側に配置されたレンズまたは接合レンズの焦点距離をｆ１、コンバータレンズの焦点距離をｆＣとしたとき、条件式（６）を満たすことが望ましい。
｜ｆ１／ｆＣ｜＜０．８  ・・・（６）
最も物体側に接合レンズが配置される場合には、ｆ１は接合レンズの合成焦点距離となる。条件式（６）を満たすことにより、コンバータ全系の屈折力に対して最も物体側のレンズまたは接合レンズの屈折力を大きくし、バックフォーカスの拡張と小型化に適した構成としている。
条件式（６）の上限を超えると、コンバータレンズ全体の焦点距離ｆＣが最も物体側のレンズまたは接合レンズの焦点距離ｆ１に対して過小となるため、バックフォーカス拡張のためにレンズ全長を長くとる必要が生じ、コンバータレンズ光学系の小型化が困難となる。
【００２７】
更に前記コンバータレンズの光学系において、正の屈折力を有する全てのレンズを構成する光学材料の平均屈折率をＮｐ、負の屈折力を有する全てのレンズを構成する光学材料の平均屈折率をＮｎとしたとき、条件式（５）を満たすことが望ましい。
０．６＜Ｎｐ／Ｎｎ＜０．９４  ・・・（７）
条件式（７）は、コンバータレンズのペッツバール和に関連する式をなっている。本発明のコンバータレンズでは、最も物体側に負の屈折力を有するレンズを有し、バックフォーカス拡大の観点からその屈折力も大きくなる。そのため、ペッツバール和を補正するためには、条件式（７）を満たし、コンバータレンズ光学系中の正の屈折力を有するレンズの屈折率を低くとる必要があり、これにより像面湾曲を良好に補正可能である。
条件式（７）の上限を超えると、像面湾曲を良好に補正することが困難となる。
条件式（７）の下限を超えると、特に最も物体側のレンズで高分散材料を使用する必要が生じ、該レンズで発生する色収差を良好に補正することが困難となる。
【００２８】
更に本発明のコンバータレンズの光学系において、最も物体側のレンズまたは接合レンズの平均アッベ数をｖ１ａｖｅとするとき条件式（８）を満たすことが望ましい。
２９＜ｖ１ａｖｅ＜８５・・・（８）
条件式（８）は最も物体側のレンズまたは接合レンズで発生する色収差に関する式となっている。本発明のコンバータレンズでは、バックフォーカス拡張のため最も物体側のレンズまたは接合レンズの屈折力が大きくなっている。このため、最も物体側のレンズまたは接合レンズの平均アッベ数を条件式（８）を満たすようにとることで、該レンズまたは該レンズ群で発生する色収差量を低減し、コンバータレンズ全体での色収差を良好に補正することを可能にしている。
（８）式の上限を超えると、最も物体側のレンズまたは接合レンズの光学材料の屈折率が低くなり、曲率半径が小さくなるため、特に軸外諸収差の補正が困難となる。（８）式の下限を超えると、コンバータレンズ光学系で最も物体側のレンズまたは接合レンズで発生する色収差が過大となり、コンバータレンズ全体で良好に色収差を補正することが困難になる。
【００２９】
各実施例において、更に好ましくは、最も物体側の負レンズユニットより像側のレンズの中で、最も物体側の接合レンズの正レンズのアッベ数をνｄｐ、負レンズのアッベ数をνｄｎとするとき、
４．０＜νｄｎ−νｄｐ＜４０．０  ・・・（９）
なる条件を満足するのが良い。
条件式（９）は最も物体側の負レンズユニットの像側の接合レンズのアッベ数差を規定している。
条件式（９）の上限を超えると、現存する材料では、正レンズの屈折率が高くなり、負レンズの屈折率が低くなってしまい、像面湾曲や軸外諸収差の補正が困難となる。条件式（９）の下限を超えると、アッベ数の差が小さくなり過ぎるため、軸外色収差と倍率色収差の補正が困難となる。
【００３０】
各実施例において、更に好ましくは、最も像側の負レンズの屈折率をｎｄｎｉ、アッベ数をνｄｎｉ、ｇ線とｆ線に関する部分分散比をθｇｆとするとき、
１．８＜ｎｄｎｉ＜２．５  ・・・（１０）
１０＜νｄｎｉ＜３０  ・・・（１１）
０．５９０＜θｇｆ＜０．６８０  ・・・（１２）
なる条件を満足するのが良い。
条件式（１０）〜（１２）は最も像側の負レンズの屈折率、アッベ数、部分分散比を規定している。いずれも諸収差、特に色収差や、軸外諸収差を補正するための条件となる。
【００３１】
条件式（１０）の上限を超えると、曲率が小さくなり過ぎてしまい、軸外諸収差を補正することが困難となる。（１０）の下限を超えると、像面湾曲を補正することが困難となる。
条件式（１１）の上限を超えると、色収差、特に倍率色収差の補正が困難となる。条件式（１１）の下限を超えると、現存する材料では、部分分散比が増大する傾向にあるため、色収差の二次スペクトルを補正することが困難となる。
条件式（１２）の上限を超えると、色収差の二次スペクトルを補正することが困難となる。条件式（１２）の下限を超えると、色収差の二次スペクトルが補正過剰になってしまい、補正することが困難となる。
【００３２】
更に好ましくは、最も物体側のレンズの焦点距離をｆ１、その像側のレンズの焦点距離をｆ２とするとき、
−５．０＜（ｆ１×ｆ２）／｛（ｆ１＋ｆ２）×Ｌｃ｝＜０  ・・・（１３）
なる条件を満足するのが良い。
条件式（１３）は最も物体側のレンズの焦点距離と、その像側のレンズの焦点距離をレンズ全厚で規格化している。
条件式（１３）の上限を超えると、先行するレンズ群の屈折力が正であり、レンズ枚数が増大し、大型化する。また、全長短縮と軸外諸収差の補正をすることが困難となる。条件式（１３）の下限を超えると、負レンズの屈折力が弱過ぎるため、同様にレンズ枚数が増大し、諸収差の補正をすることが困難となる。
【００３３】
更に前記コンバータレンズの光学系において、最も物体側のレンズまたは接合レンズの像側が凹面であり、最も像側のレンズの像側が凸面となることが望ましい。
最も物体側のレンズまたは接合レンズはバックフォーカス拡大のために強い負の屈折力が必要となる。しかし、最も物体側のレンズの物体側の面にはマスターレンズからの収束する光線が入射するため、物体側の面に強い負の屈折力を持たせると軸外光線で発生する収差が過大となる。このため、最も物体側のレンズまたは接合レンズの像側の面が凹面とし負の屈折力を持たせることで、軸外光線で発生する収差を抑制しながら最も物体側のレンズまたは接合レンズで負の屈折力を大きく得ている。また、最も像側のレンズの像側が凸面となることで、負の屈折力をもつ最も物体側のレンズまたは接合レンズとの距離をとることが可能となる。そのため、最も物体側のレンズまたは接合レンズによる光線の発散の効果を大きく得ることで、バックフォーカスを拡大に適したレンズ構成となる。
【００３４】
各実施例において、更に好ましくは、コンバータレンズの最も物体側の面は物体側に凸の形状であるのが良い。最も物体側のレンズの物体側の面にはマスターレンズからの収束する光線が入射するため、物体側に凸の形状をとることによる軸外光線で発生する諸収差を低減でき、諸収差、特に軸上収差の補正が容易となる。
実施例１〜１２において、更に好ましくは、コンバータレンズは、マスターレンズと色分解光学系を持つ撮像装置の間に配置されるのが良い。本発明のコンバータレンズは、色分解光学系による収差も考慮することが可能である。
【００３５】
更に前記コンバータレンズの光学系において、正の屈折力をもつレンズを３枚以上有することが望ましい。
バックフォーカスを拡大するためには、物体側に強い負の屈折力を有するレンズを配置する必要があり、像面湾曲がオーバーに生じやすい。正の屈折力をもつレンズを３枚以上有することで、ペッツバール和の良好な補正が可能となり、像面湾曲を良好に補正できる。
【００３６】
更に好ましくは条件式（１）乃至（１３）の数値範囲を次の如く設定するのが良い。
１．４＜ｙ／ｘ＜２．８  ・・・（１ａ）
１．４９＜β＜３．５  ・・・（２ａ）
１５＜νｄｍｉｎ＜３０  ・・・（３ａ）
０．５＜ｘ／Ｌｃ＜１．５  ・・・（４ａ）
１．０＜ｙ／Ｌｃ＜４．０  ・・・（５ａ）
｜ｆ１／ｆＣ｜＜０．６５  ・・・（６ａ）
０．６５＜Ｎｐ／Ｎｎ＜０．９１５・・・（７ａ）
３５＜ｖ１ａｖｅ＜７５・・・（８ａ）
６．０＜νｄｎ−νｄｐ＜３５．０  ・・・（９ａ）
１．８１＜ｎｄｎｉ＜２．２  ・・・（１０ａ）
１５＜νｄｎｉ＜３０  ・・・（１１ａ）
０．５９５＜θｇｆ＜０．６７０  ・・・（１２ａ）
−３．０＜（ｆ１×ｆ２）／｛（ｆ１＋ｆ２）×Ｌｃ｝＜０  ・・・（１３ａ）
【実施例１】
【００３７】
本発明の実施例１〜６では、以下の構成のズームレンズ（マスターレンズ１）がマスターレンズＭＬとして用いられている。
【００３８】
Ｕ１は変倍のためには移動しない正の屈折力を有する第１レンズ群である。Ｕ２は変倍に際して移動する第２レンズ群であり、光軸上を像面側へ移動させることにより、広角端から望遠端への変倍を行っている。Ｕ３とＵ４は共に変倍に際して移動する第３レンズ群および第４レンズ群であり、広角端から望遠端にかけて、光軸上を移動する。ＳＰは変倍のためには移動しない開口絞り、Ｕ５は結像作用を有する第５レンズ群（リレー群）である。第５レンズ群Ｕ５内には、焦点距離変換用のコンバータ（エクステンダ）等が装着されても良い。また第５レンズ群より像側に配置されるレンズ群を変倍や防振などのために移動させてもよく、複数のレンズ群から構成されていても良い。ＤＧは色分解プリズムや光学フィルタ−等であり、同図ではガラスブロックとして示している。Ｉは像面であり、固体撮像素子の撮像面に相当する。各実施例において、ズームレンズＺの広角端状態から望遠端状態への変倍に際し、コンバータレンズＣＬは像面Ｉに対して固定である。
【００３９】
マスターレンズ１の数値実施例について、第１レンズ群Ｕ１、第１１レンズ群Ｕ１１、第１２レンズ群Ｕ１２、第１３レンズ群Ｕ１３について説明する。第１レンズ群Ｕ１は、第１レンズ面〜第１７レンズ面に対応している。第１１レンズ群Ｕ１１は、第１レンズ面〜第７レンズ面に対応し、物体側から順に負レンズと、負レンズと正レンズがこの順番で貼り合わされたレンズ、正レンズで構成されている。第１１レンズ群Ｕ１１は合焦のためには移動しない。第１２レンズ群Ｕ１２は、第８レンズ面〜第１５レンズ面に対応し、物体側から順に、正レンズ、像面側に凸面を向けたメニスカス状の負レンズ、正レンズ、正レンズにて構成されている。第１２レンズ群Ｕ１２は至近側への合焦に際して物体側へ移動する。第１３レンズ群Ｕ１３は、第１６レンズ面〜第１７レンズ面に対応し、正レンズにて構成されている。第１３レンズ群Ｕ１３は至近側への合焦に際して物体側へ移動する。
無限遠物体から近距離物体に合焦する際に第１２レンズ群と第１３レンズ群は別々の軌跡に沿って移動する。
マスターレンズ光学系は対角長１１ｍｍの撮像素子に対応可能に設計されており、この１１ｍｍを、光線ケラレがない範囲、イメージサークルと呼ぶ。
【００４０】
図１は、実施例１のコンバータレンズをマスターレンズ１の像面側に装着したときの広角端における無限遠合焦時のレンズ断面図（Ａ）、コンバータレンズのみの断面図（Ｂ）である。ＭＬはマスターレンズ１、ＣＬはコンバータレンズ、ＤＧはダミーガラスである。また、Ｉは撮像面であり、固体撮像素子の撮像面に相当する。図２は、本実施例のコンバータレンズをマスターレンズ１に装着した状態で、広角端で無限遠に合焦しているときの縦収差図である。コンバータ倍率を考慮し、縦収差図では、球面収差は１．１２９ｍｍ、非点収差は１．１２９ｍｍ、歪曲は１０％、倍率色収差は０．０８４ｍｍのスケールで描かれている。
【００４１】
次に、本実施例における光学系について説明する。光学系は、像側に凹の負メニスカスレンズ、両凹レンズＧ２と両凸レンズＧ３との接合レンズ、両凸レンズＧ４、物体側に凸の負メニスカスレンズＧ５と両凸レンズＧ６との接合レンズ構成されている。本実施例のコンバータレンズは、像面側にダミーガラスＤＧが配置されている。本実施例のコンバータレンズをマスターレンズ１に装着することで、マスターレンズ１のイメージサークルを１．６８倍に、バックフォーカスを１．６６倍に拡大させている。
【００４２】
本実施例の各条件式対応値を表１に示す。本実施例は（１）〜（１３）のいずれの条件式も満足しており、交換レンズの焦点距離を変換させる機能を有し、バックフォーカスを拡大させながら良好な光学性能を達成している。
【実施例２】
【００４３】
図５は、本実施例のコンバータレンズをマスターレンズ１像面側に装着したときの広角端における無限遠合焦時のレンズ断面図（Ａ）、コンバータレンズのみの断面図（Ｂ）である。図５において、ＭＬはマスターレンズ１、ＣＬはコンバータレンズ、ＤＧはダミーガラスである。また、Ｉは撮像面であり、固体撮像素子の撮像面に相当する。図６は、本実施例のコンバータレンズをマスターレンズ１に装着した状態で、広角端で無限遠に合焦しているときの縦収差図である。コンバータ倍率を考慮し、縦収差図では、球面収差は２．１１６ｍｍ、非点収差は２．１１６ｍｍ、歪曲は１０％、倍率色収差は０．１１５ｍｍのスケールで描かれている。
【００４４】
次に、本実施例における光学系について説明する。光学系は、像側に凹の負メニスカスレンズ、両凸レンズＧ２と両凹レンズＧ３との接合レンズ、像側に凸の正レンズＧ４、両凹レンズＧ５と両凸レンズＧ６との接合レンズ構成されている。本実施例のコンバータレンズは、像面側にダミーガラスＤＧが配置されている。本実施例のコンバータレンズをマスターレンズ１に装着することで、マスターレンズ１のイメージサークルを２．３０倍に、バックフォーカスを１．９０倍に拡大させている。
【００４５】
本実施例の各条件式対応値を表１に示す。本実施例は（１）〜（１２）の条件式を満足しており、交換レンズの焦点距離を変換させる機能を有し、バックフォーカスを拡大させながら良好な光学性能を達成している。
【実施例３】
【００４６】
図７は、本実施例のコンバータレンズをマスターレンズ１像面側に装着したときの広角端における無限遠合焦時のレンズ断面図（Ａ）、コンバータレンズのみの断面図（Ｂ）である。図７において、ＭＬはマスターレンズ１、ＣＬはコンバータレンズ、ＤＧはダミーガラスである。また、Ｉは撮像面であり、固体撮像素子の撮像面に相当する。図８は、本実施例のコンバータレンズをマスターレンズ１に装着した状態で、広角端で無限遠に合焦しているときの縦収差図である。コンバータ倍率を考慮し、縦収差図では、球面収差は１．６００ｍｍ、非点収差は１．６００ｍｍ、歪曲は１０％、倍率色収差は０．１００ｍｍのスケールで描かれている。
【００４７】
次に、本実施例における光学系について説明する。光学系は、像側に凹の負メニスカスレンズ、両凸レンズＧ２と両凹レンズＧ３との接合レンズ、両凸レンズＧ４、像側に凸の負メニスカスレンズＧ５と像側に凸の正メニスカスレンズＧ６との接合レンズ構成されている。本実施例のコンバータレンズは、像面側にダミーガラスＤＧが配置されている。本実施例のコンバータレンズをマスターレンズ１に装着することで、マスターレンズ１のイメージサークルを２倍に、バックフォーカスを１．８５倍に拡大させている。
【００４８】
本実施例の各条件式対応値を表１に示す。本実施例は（１）〜（１２）の条件式を満足しており、交換レンズの焦点距離を変換させる機能を有し、バックフォーカスを拡大させながら良好な光学性能を達成している。
【実施例４】
【００４９】
図９は、本実施例のコンバータレンズをマスターレンズ１像面側に装着したときの広角端における無限遠合焦時のレンズ断面図（Ａ）、コンバータレンズのみの断面図（Ｂ）である。図９において、ＭＬはマスターレンズ１、ＣＬはコンバータレンズ、ＤＧはダミーガラスである。また、Ｉは撮像面であり、固体撮像素子の撮像面に相当する。図１０は、本実施例のコンバータレンズをマスターレンズ１に装着した状態で、広角端で無限遠に合焦しているときの縦収差図である。コンバータ倍率を考慮し、縦収差図では、球面収差は２．７０４ｍｍ、非点収差は２．７０４ｍｍ、歪曲は１０％、倍率色収差は０．１３０ｍｍのスケールで描かれている。
【００５０】
次に、本実施例における光学系について説明する。光学系は、像側に凹の負メニスカスレンズ、物体側に凸の負メニスカスレンズＧ２と物体側に凸の正レンズＧ３との接合レンズ、像側に凸の正メニスカスレンズＧ４、両凹レンズＧ５と物体側に凸の正レンズＧ６との接合レンズ、物体側に凸の負メニスカスレンズＦ７と両凸レンズの接合レンズＧ８で構成されている。本実施例のコンバータレンズは、像面側にダミーガラスＤＧが配置されている。本実施例のコンバータレンズをマスターレンズ１に装着することで、マスターレンズ１のイメージサークルを２．６倍に、バックフォーカスを１．７１倍に拡大させている。
【００５１】
本実施例の各条件式対応値を表１に示す。本実施例は（１）〜（１３）のいずれの条件式も満足しており、交換レンズの焦点距離を変換させる機能を有し、バックフォーカスを拡大させながら良好な光学性能を達成している。
【実施例５】
【００５２】
図１１は、本実施例のコンバータレンズをマスターレンズ１像面側に装着したときの広角端における無限遠合焦時のレンズ断面図（Ａ）、コンバータレンズのみの断面図（Ｂ）である。図１１において、ＭＬはマスターレンズ１、ＣＬはコンバータレンズ、ＤＧはダミーガラスである。また、Ｉは撮像面であり、固体撮像素子の撮像面に相当する。図１２は、本実施例のコンバータレンズをマスターレンズ１に装着した状態で、広角端で無限遠に合焦しているときの縦収差図である。コンバータ倍率を考慮し、縦収差図では、球面収差は０．９００ｍｍ、非点収差は０．９００ｍｍ、歪曲は１０％、倍率色収差は０．０７５ｍｍのスケールで描かれている。
【００５３】
次に、本実施例における光学系について説明する。光学系は、像側に凹の負メニスカスレンズ、両凸レンズＧ２と像側に凸の負メニスカスレンズＧ３との接合レンズ、両凹レンズＧ４、両凸レンズＧ５、物体側に凸の負メニスカスレンズＧ６と両凸レンズＧ７との接合レンズ構成されている。本実施例のコンバータレンズは、像面側にダミーガラスＤＧが配置されている。本実施例のコンバータレンズをマスターレンズ１に装着することで、マスターレンズ１のイメージサークルを１．５０倍に、バックフォーカスを１．２５倍に拡大させている。
【００５４】
本実施例の各条件式対応値を表１に示す。本実施例は（１）〜（１２）の条件式を満足しており、交換レンズの焦点距離を変換させる機能を有し、バックフォーカスを拡大させながら良好な光学性能を達成している。
【実施例６】
【００５５】
図１３は、本実施例のコンバータレンズをマスターレンズ１像面側に装着したときの広角端における無限遠合焦時のレンズ断面図（Ａ）、コンバータレンズのみの断面図（Ｂ）である。図１３において、ＭＬはマスターレンズ１、ＣＬはコンバータレンズ、ＤＧはダミーガラスである。また、Ｉは撮像面であり、固体撮像素子の撮像面に相当する。図１４は、本実施例のコンバータレンズをマスターレンズ１に装着した状態で、広角端で無限遠に合焦しているときの縦収差図である。コンバータ倍率を考慮し、縦収差図では、球面収差は０．９６１ｍｍ、非点収差は０．９６１ｍｍ、歪曲は１０％、倍率色収差は０．０７７ｍｍのスケールで描かれている。
【００５６】
次に、本実施例における光学系について説明する。光学系は、像側に凹の負メニスカスレンズ、両凸レンズＧ２、像凸の正メニスカスレンズＧ３、物体側に凹の負レンズＧ４と像側に凸の正レンズＧ５との接合レンズ構成されている。本実施例のコンバータレンズは、像面側にダミーガラスＤＧが配置されている。本実施例のコンバータレンズをマスターレンズ１に装着することで、マスターレンズ１のイメージサークルを１．５５倍に、バックフォーカスを１．２９倍に拡大させている。
【００５７】
本実施例の各条件式対応値を表１に示す。本実施例は（１）〜（８）、（１０）、（１２）、（１３）の条件式を満足しており、交換レンズの焦点距離を変換させる機能を有し、バックフォーカスを拡大させながら良好な光学性能を達成している。
【実施例７】
【００５８】
本発明の実施例７では、以下の構成のズームレンズ（マスターレンズ２）がマスターレンズＭＬとして用いられている。
【００５９】
Ｕ１は常時固定の正の屈折力の第１レンズ群である。Ｕ２は変倍用の第２レンズ群であり、光軸上を像面側へ移動させることにより、広角端から望遠端への変倍を行っている。Ｕ３とＵ４は共に変倍用の第３レンズ群および第４レンズ群であり、広角端から望遠端にかけて、光軸上を移動する。ＳＰは常時固定の開口絞り、Ｕ５は結像作用を有する第５レンズ群（リレー群）である。第５レンズ群Ｕ５内には、焦点距離変換用のコンバータ（エクステンダ）等が装着されても良い。また第５レンズ群以降の群を変倍や防振などのために移動させてもよく、複数の群から構成されていても良い。ＤＧは色分解プリズムや光学フィルタ−等であり、同図ではガラスブロックとして示している。Ｉは像面であり、固体撮像素子の撮像面に相当する。そして各実施例において、ズームレンズＺの広角端状態から望遠端状態へのズーミングに際し、コンバータレンズＣＬは像面Ｉに対して固定である。
【００６０】
マスターレンズ２の数値実施例について、第１レンズ群Ｕ１、第１１レンズ群Ｕ１１、第１２レンズ群Ｕ１２、第１３レンズ群Ｕ１３について説明する。第１レンズ群Ｕ１は、第１レンズ面〜第１０レンズ面に対応している。第１１レンズ群Ｕ１１は、第１レンズ面〜第４レンズ面に対応し、物体側から順に負レンズ、正レンズで構成されている。第１１レンズ群Ｕ１１は合焦時に固定である。第１２レンズ群Ｕ１２は、第５レンズ面〜第８レンズ面に対応し、物体側から順に、正レンズ２枚で構成されている。第１２レンズ群Ｕ１２は至近合焦時に物体側へ繰り出す。第１３レンズ群Ｕ１３は、第９レンズ面〜第１０レンズ面に対応し、正レンズにて構成されている。第１３レンズ群Ｕ１３は至近合焦時に物体側へ繰り出す。無限遠物体から近距離物体に合焦する際にＵ１２とＵ１３は別々の軌跡を移動する。
【００６１】
図１６は、本発明の各実施例のコンバータレンズに装着される、一例としてのマスターレンズ２の広角端で無限遠に合焦しているときのレンズ断面図である。図１７は、マスターレンズの広角端で無限遠に合焦しているときの縦収差図である。また、焦点距離の値は、後述する数値実施例をｍｍ単位で表したときの値である。
【００６２】
図１７の縦収差図では、球面収差は０．４ｍｍ、非点収差は０．４ｍｍ、歪曲は１０％、倍率色収差は０．０５ｍｍのスケールで描かれている。
【００６３】
図１５（Ａ）は、本実施例のコンバータレンズをマスターレンズ像面側に装着したときの広角端における無限遠合焦時のレンズ断面図（Ａ）、コンバータレンズのみの断面図（Ｂ）である。図１５（Ｂ）は、実施例７のコンバータレンズの拡大図である。図１５（Ａ）において、ＭＬはマスターレンズ２、ＣＬはコンバータレンズ、ＤＧはダミーガラスである。また、Ｉは撮像面であり、固体撮像素子の撮像面に相当する。図１８は、本実施例のコンバータレンズをマスターレンズに装着した状態で、広角端で無限遠に合焦しているときの縦収差図である。コンバータ倍率を考慮し、縦収差図では、球面収差は１．９３６ｍｍ、非点収差は１．９３６ｍｍ、歪曲は１０％、倍率色収差は０．１１０ｍｍのスケールで描かれている。
【００６４】
次に、本実施例における光学系について説明する。光学系は、像側に凹の負メニスカスレンズ、正レンズＧ２と両凹レンズＧ３との接合レンズ、両凸レンズＧ４、両凹レンズＧ５、両凸レンズＧ６と像側に凸の負メニスカスレンズＧ７の接合レンズで構成されている。本実施例のコンバータレンズは、像面側にダミーガラスＤＧが配置されている。本実施例のコンバータレンズをマスターレンズに装着することで、マスターレンズのイメージサークルを２．２０倍に、バックフォーカスを１．４３倍に拡大させている。
【００６５】
本実施例の各条件式対応値を表１に示す。本実施例は（１）〜（５）、（７）〜（１３）の条件式を満足しており、交換レンズの焦点距離を変換させる機能を有し、バックフォーカスを拡大させながら良好な光学性能を達成している。
【実施例８】
【００６６】
本発明の実施例８〜１２では、以下の構成のズームレンズ（マスターレンズ３）がマスターレンズＭＬとして用いられている。
【００６７】
第１レンズ面〜第１９レンズ面がズーミングに際し固定の第１レンズ群Ｕ１であり、変倍のためには移動しない正の屈折力を有する。第７レンズ面〜第１１レンズ面までがフォーカシングに際し光軸に沿って移動する。第２０レンズ面〜第２７レンズ面は変倍に際して移動する第２レンズ群Ｕ２であり、第２８レンズ面〜第３８レンズ面が第３レンズ群Ｕ３であり、この２つのレンズ群がズーミングに際し各々光軸に沿って移動する。第４０レンズ面〜第５５レンズ面がズーミングに際し固定の第４レンズ群Ｕ４であり、絞りは第３９レンズ面に対応する。第５６レンズ面〜第５８レンズ面がカメラ内部の色分解プリズムや光学フィルタ等に相当し、図中ではガラスブロックとしてのダミーガラスＤＧとして示している。Ｉは像面であり、固体撮像素子の撮像面に相当する。各実施例において、ズームレンズＺの広角端状態から望遠端状態への変倍に際し、コンバータレンズＣＬは像面Ｉに対して固定である。
【００６８】
マスターレンズ１の第１レンズ群Ｕ１は、第１１レンズ群Ｕ１１、第１２レンズ群Ｕ１２、第１３レンズ群Ｕ１３から構成される。第１レンズ群Ｕ１は、マスターレンズ３の数値実施例において第１レンズ面〜第１９レンズ面に対応している。第１１レンズ群Ｕ１１は、第１レンズ面〜第６レンズ面に対応し、物体側から順に負レンズ、負レンズ、正レンズで構成されている。第１１レンズ群Ｕ１１は合焦のためには移動しない。第１２レンズ群Ｕ１２は、第７レンズ面〜第１１レンズ面に対応し、物体側から順に、正レンズ、両凹レンズと両凸レンズの接合レンズで構成されている。第１２レンズ群Ｕ１２は至近側への合焦に際して物体側へ移動する。第１３レンズ群Ｕ１３は、第１２レンズ面〜第１９レンズ面に対応し、正レンズ、像側に凹面のメニスカス負レンズ、両凸レンズ、像側に凸面のメニスカス正レンズにて構成されている。第１３レンズ群Ｕ１３は合焦のためには移動しない。
【００６９】
図２０は、本発明の各実施例のコンバータレンズに装着される、一例としてのマスターレンズ３の広角端で無限遠に合焦しているときのレンズ断面図である。図２１は、マスターレンズの広角端で無限遠に合焦しているときの縦収差図である。また、焦点距離の値は、後述する数値実施例をｍｍ単位で表したときの値である。
【００７０】
図２１の縦収差図では、球面収差は０．４ｍｍ、非点収差は０．４ｍｍ、歪曲は１０％、倍率色収差は０．１００ｍｍのスケールで描かれている。
【００７１】
図１９（Ａ）は、本実施例のコンバータレンズをマスターレンズ３に装着した状態のレンズ断面図である。図１９（Ｂ）は、実施例８のコンバータレンズの拡大図である。図１９（Ａ）において、ＭＬはマスターレンズ３、ＣＬはコンバータレンズ、ＤＧはダミーガラスである。また、Ｉは撮像面であり、固体撮像素子の撮像面に相当する。図２２は、本実施例のコンバータレンズをマスターレンズに装着した状態で、広角端で無限遠に合焦しているときの縦収差図である。コンバータ倍率を考慮し、縦収差図では、球面収差は１．３４０ｍｍ、非点収差は１．３４０ｍｍ、歪曲は１０％、倍率色収差は０．１８０ｍｍのスケールで描かれている。
【００７２】
次に各実施例のレンズ構成の特徴について説明する。
実施例８において、コンバータレンズは第５６レンズ面〜第６３レンズ面である。光学系は、物体側から像側へ順に、像側に凹面の負メニスカスレンズ、両凹レンズと両凸レンズの接合レンズ、両凸レンズと両凹レンズの接合レンズ、両凸レンズで構成されている。本実施例のコンバータレンズは、像面側にダミーガラスＤＧが配置されている。
【００７３】
後述する表２に示すように数値実施例８は（１）〜（１３）いずれの条件式もを満足している。本実施例のコンバータレンズをマスターレンズに装着することで、マスターレンズのイメージサークル（結像倍率）を１．８３倍に、バックフォーカスを５．７５倍に拡大させている。且つ、諸収差を良好に補正した高い光学性能を得ている。
【実施例９】
【００７４】
図２３（Ａ）は、本実施例のコンバータレンズをマスターレンズ３に装着した状態のレンズ断面図である。図２３（Ｂ）は、実施例９のコンバータレンズの拡大図である。図２３（Ａ）において、ＭＬはマスターレンズ３、ＣＬはコンバータレンズ、ＤＧはダミーガラスである。また、Ｉは撮像面であり、固体撮像素子の撮像面に相当する。図２４は、本実施例のコンバータレンズをマスターレンズに装着した状態で、広角端で無限遠に合焦しているときの縦収差図である。コンバータ倍率を考慮し、縦収差図では、球面収差は１．１３０ｍｍ、非点収差は１．１３０ｍｍ、歪曲は１０％、倍率色収差は０．１７０ｍｍのスケールで描かれている。
【００７５】
実施例９において、コンバータレンズは第５６レンズ面〜第６５レンズ面に対応する。光学系は、物体側から像側へ順に、像側に凹面の負メニスカスレンズ、両凹レンズと両凸レンズの接合レンズ、両凸レンズと両凹レンズの接合レンズ、両凸レンズで構成されている。本実施例のコンバータレンズは、像面側にダミーガラスＤＧが配置されている。
【００７６】
後述する表２に示すように数値実施例９は条件式（１）〜（１２）のいずれの条件式も満足している。本実施例のコンバータレンズをマスターレンズに装着することで、マスターレンズのイメージサークル（結像倍率）を１．６８倍に、バックフォーカスを５．１６倍に拡大させている。且つ、諸収差を良好に補正した高い光学性能を得ている。
【実施例１０】
【００７７】
図２５（Ａ）は、本実施例のコンバータレンズをマスターレンズ３に装着した状態のレンズ断面図である。図２５（Ｂ）は、実施例１０のコンバータレンズの拡大図である。図２５（Ａ）において、ＭＬはマスターレンズ３、ＣＬはコンバータレンズ、ＤＧはダミーガラスである。また、Ｉは撮像面であり、固体撮像素子の撮像面に相当する。図２６は、本実施例のコンバータレンズをマスターレンズに装着した状態で、広角端で無限遠に合焦しているときの縦収差図である。コンバータ倍率を考慮し、縦収差図では、球面収差は１．１３０ｍｍ、非点収差は１．１３０ｍｍ、歪曲は１０％、倍率色収差は０．１７０ｍｍのスケールで描かれている。
【００７８】
実施例１０において、コンバータレンズは第５６レンズ面〜第６６レンズ面に対応する。光学系は、物体側から像側へ順に、像側に凹面の負メニスカスレンズと像側に凹面の正メニスカスレンズとの接合レンズ、両凹レンズと両凸レンズの接合レンズ、両凸レンズ、両凸レンズと物体側に凹面の負メニスカスレンズの接合レンズで構成されている。本実施例のコンバータレンズは、像面側にダミーガラスＤＧが配置されている。
【００７９】
後述する表２に示すように数値実施例１０は条件式（１）〜（１３）のいずれの条件式も満足している。本実施例のコンバータレンズをマスターレンズに装着することで、マスターレンズのイメージサークル（結像倍率）を１．６８倍に、バックフォーカスを５．１６倍に拡大させている。且つ、諸収差を良好に補正した高い光学性能を得ている。
【実施例１１】
【００８０】
図２７（Ａ）は、本実施例のコンバータレンズをマスターレンズ３に装着した状態のレンズ断面図である。図２７（Ｂ）は、実施例１１のコンバータレンズの拡大図である。図２７（Ａ）において、ＭＬはマスターレンズ３、ＣＬはコンバータレンズ、ＤＧはダミーガラスである。また、Ｉは撮像面であり、固体撮像素子の撮像面に相当する。図２８は、本実施例のコンバータレンズをマスターレンズに装着した状態で、広角端で無限遠に合焦しているときの縦収差図である。コンバータ倍率を考慮し、縦収差図では、球面収差は１．１３０ｍｍ、非点収差は１．１３０ｍｍ、歪曲は１０％、倍率色収差は０．１７０ｍｍのスケールで描かれている。
【００８１】
実施例１１において、コンバータレンズは第５６レンズ面〜第６６レンズ面に対応する。光学系は、物体側から像側へ順に、像側に凹面の負メニスカスレンズと像側に凹面の正メニスカスレンズとの接合レンズ、両凹レンズと両凸レンズの接合レンズ、物体側に凸面の正メニスカスレンズと像側に凹面の負メニスカスレンズの接合レンズ、両凸レンズで構成されている。本実施例のコンバータレンズは、像面側にダミーガラスＤＧが配置されている。
【００８２】
後述する表２に示すように数値実施例１１は条件式（１）〜（１３）のいずれの条件式も満足している。本実施例のコンバータレンズをマスターレンズに装着することで、マスターレンズのイメージサークル（結像倍率）を１．７０倍に、バックフォーカスを５．１６倍に拡大させている。且つ、諸収差を良好に補正した高い光学性能を得ている。
【実施例１２】
【００８３】
図２９（Ａ）は、本実施例のコンバータレンズをマスターレンズ３に装着した状態のレンズ断面図である。図２９（Ｂ）は、実施例１２のコンバータレンズの拡大図である。図２９（Ａ）において、ＭＬはマスターレンズ３、ＣＬはコンバータレンズである。また、Ｉは撮像面であり、固体撮像素子の撮像面に相当する。図３０は、本実施例のコンバータレンズをマスターレンズに装着した状態で、広角端で無限遠に合焦しているときの縦収差図である。コンバータ倍率を考慮し、縦収差図では、球面収差は３．２００ｍｍ、非点収差は３．２００ｍｍ、歪曲は１０％、倍率色収差は０．２８０ｍｍのスケールで描かれている。
【００８４】
実施例１２において、コンバータレンズは第５６レンズ面〜第６６レンズ面に対応する。光学系は、物体側から像側へ順に、像側に凹面の負メニスカスレンズ、像側に凹面の負メニスカスレンズと両凸レンズの接合レンズ、両凹レンズと両凸レンズの接合レンズ、物体側に凹面の負メニスカスレンズと像側に凸面の正メニスカスレンズの接合レンズで構成されている。本実施例のコンバータレンズは、像面側にダミーガラスＤＧが配置されていない。
【００８５】
後述する表２に示すように数値実施例１２は条件式（１）〜（１３）のいずれの条件式も満足している。本実施例のコンバータレンズをマスターレンズに装着することで、マスターレンズのイメージサークル（結像倍率）を２．８５倍に、バックフォーカスを５．００倍に拡大させている。且つ、諸収差を良好に補正した高い光学性能を得ている。
【００８６】
以上のように各実施例によれば、各レンズ群の屈折力配置や非球面配置等を適切に規定している。これにより、小型化で、且つ諸収差を良好に補正したコンバータレンズを得ている。
【００８７】
図３１は実施例１〜１２のコンバータレンズとマスターレンズ光学系を撮影光学系として用いた撮像装置（カメラシステム）の要部概略図である。図３１において１０２は実施例１〜１２のいずれかのコンバータレンズである。１０１はマスターレンズ光学系、１２４はカメラである。コンバータレンズ１０２はカメラ１２４に対して着脱可能となっており、マスターレンズ光学系１０１はコンバータレンズ１０２に着脱可能になっている。１２５はカメラ１２４にコンバータレンズ１０２とマスターレンズ光学系１０１を装着することで構成される撮像装置である。
【００８８】
マスターレンズ光学系１０１は第１レンズ群Ｆ、変倍部ＬＺ、結像用の最終レンズ群Ｒを有している。
変倍部ＬＺは変倍のために光軸上を移動するレンズ群が含まれている。ＳＰは開口絞りである。１１４、１１５は各々第１レンズ群Ｆ、変倍部ＬＺを光軸方向に駆動するヘリコイドやカム等の駆動機構である。
【００８９】
１１６〜１１８は駆動機構１１４、１１５および開口絞りＳＰを電動駆動するモータ（駆動手段）である。１１９〜１２１は、第１レンズ群Ｆや変倍部ＬＺの光軸上の位置や、開口絞りＳＰの絞り径を検出するためのエンコーダやポテンショメータ、あるいはフォトセンサ等の検出器である。カメラ１２４において、１０９はカメラ１２４内の光学フィルタに相当するガラスブロック、１１０はマスターレンズ光学系１０１とコンバータレンズ１０２によって形成された被写体像を受光するＣＣＤセンサやＣＭＯＳセンサ等の固体撮像素子（光電変換素子）である。なお、実施例１２のコンバータレンズを適用する場合には、ガラスブロックは含まれない。
【００９０】
また、１１１、１２２はカメラ１２４、コンバータレンズ１０２及びマスターレンズ光学系１０１の各種の駆動を制御するＣＰＵである。このように本発明のコンバータレンズをカメラに適用することにより、高い光学性能を有する撮像装置を実現している。
なお、図３１ではコンバータレンズを着脱可能な構成としたが撮像装置内部に配置しても同様の効果が得られるため構わない。
【００９１】
以上、本発明の好ましい実施例について説明したが、本発明はこれらの実施例に限定されないことはいうまでもなく、その要旨の範囲内で種々の変形及び変更が可能である。
【００９２】
以下に本発明の実施例に対応する数値実施例を示す。各数値実施例においていずれも、ｉは物体側からの面の順序を示し、ｒｉは物体側より第ｉ番目の面の曲率半径、ｄｉは物体側より第ｉ番目と第ｉ＋１番目の面の間隔、ｎｄｉ、νｄｉは第ｉ番目と第ｉ＋１番目の間の光学部材（光学媒体）の屈折率とアッベ数である。ＢＦは空気換算のバックフォーカスである。実施例１〜１２において、最後の３つの面は、フィルタ等のガラスブロックである。
【００９３】
非球面形状は光軸方向にＸ軸、光軸と垂直方向にＨ軸、光の進行方向を正とし、Ｒを近軸曲率半径、ｋを円錐常数、Ａ４、Ａ６、Ａ８、Ａ１０をそれぞれ非球面係数としたとき、次式で表している。また、「ｅ−Ｚ」は「×１０−Ｚ」を意味する。
【数１】
2018060093.tif 000003
【００９４】
以上、本発明の好ましい実施形態について説明したが、本発明はこれらの実施形態に限定されず、その要旨の範囲内で種々の変形及び変更が可能である。
【００９５】
＜マスターレンズ１＞
単位 mm
面番号i     ri        di       ndi       vdi      θgFi    有効径   焦点距離
1    -2676.87745   2.50000  1.805181   25.42    0.6161     83.743   -236.030
2      206.69819   7.23428  1.000000                       81.150            
3     2182.11542   2.50000  1.800999   34.97    0.5864     80.026   -673.676
4      434.75221   6.37988  1.433870   95.10    0.5373     79.285    407.728
5     -298.19845   0.20000  1.000000                       78.918            
6      755.00720   4.11230  1.433870   95.10    0.5373     77.558    588.765
7     -386.89677   8.66108  1.000000                       77.267            
8    -2043.70673   8.40314  1.433870   95.10    0.5373     76.523    254.793
9     -105.25519   2.78701  1.000000                       76.028            
10      -80.39305   2.40000  1.749505   35.33    0.5818     75.633   -260.001
11     -137.96059   0.15000  1.000000                       75.932            
12      205.69463   5.36974  1.595220   67.74    0.5442     72.736    265.846
13     -689.63781   0.20000  1.000000                       72.306            
14      763.14692   5.88052  1.595220   67.74    0.5442     70.978    229.383
15     -166.51518   0.47000  1.000000                       70.403            
16       49.42940   5.30184  1.763850   48.51    0.5587     57.105    155.321
17       80.50287    (可変)  1.000000                       55.897            
18      250.61687   1.07000  2.003300   28.27    0.5980     25.882    -16.680
19       15.77681   5.11088  1.000000                       21.292            
20     -337.51390   7.19684  1.808095   22.76    0.6307     21.043     17.585
21      -13.90291   0.81000  1.882997   40.76    0.5667     20.661    -12.047
22       47.70347   0.23000  1.000000                       20.374            
23       31.30591   2.97965  1.761821   26.52    0.6136     20.651     43.240
24      517.24446    (可変)  1.000000                       20.476            
25      -20.45615   0.75000  1.756998   47.82    0.5565     18.280    -20.552
26       67.39764   5.06454  1.846490   23.90    0.6217     20.190     42.748
27      -77.05361    (可変)  1.000000                       21.864            
28     -137.94762   4.19474  1.639999   60.08    0.5370     25.698     99.191
29      -44.11199   0.15000  1.000000                       26.931            
30       84.28721   3.39468  1.516330   64.14    0.5353     28.115    104.540
31     -149.57914    (可変)  1.000000                       28.278            
32        0.00000   0.74000  1.000000                       28.488            
33       46.70041   3.50000  1.589130   61.14    0.5407     28.674    137.616
34      106.51852   2.00000  1.953750   32.32    0.5898     28.239   -293.765
35       76.62048  30.66756  1.000000                       27.746            
36       32.55468   4.33361  1.487490   70.23    0.5300     25.727     65.110
37    -1403.87331   0.20000  1.000000                       25.208            
38      275.62552   1.00000  1.882997   40.76    0.5667     24.943    -23.455
39       19.33483   6.86341  1.496999   81.54    0.5375     23.535     35.958
40     -216.57390   0.17940  1.000000                       23.547            
41       43.74908   7.40065  1.548141   45.79    0.5686     23.449     28.183
42      -22.62651   1.00000  1.882997   40.76    0.5667     23.088    -23.273
43      243.92982   2.12306  1.000000                       23.816            
44       49.76992   7.28464  1.487490   70.23    0.5300     25.210     39.903
45      -30.56786   4.50000  1.000000                       25.461            
46        0.00000  33.00000  1.608590   46.44    0.5664     40.000            
47        0.00000  13.20000  1.516330   64.14    0.5353     40.000            
48        0.00000   7.21000  1.000000                       40.000            
像面
【００９６】
非球面データ
第18面
K = 1.70731e+002  A 4= 9.28346e-006  A 6=-1.76629e-008  A 8= 5.54259e-011  A10=-3.10285e-013  A12= 7.67821e-016  
各種データ
ズーム比     15.92 
焦点距離       9.00   143.24  
Fナンバー      1.90     2.51  
半画角        31.43     2.20  
像高           5.50     5.50  
レンズ全長   263.30   263.30  
BF            40.88    40.88  
d17            1.32    50.02  
d24           44.55     4.39  
d27            8.58     1.67  
d31            7.18     5.55  
入射瞳位置      61.51     596.38  
射出瞳位置  -14875.86  -14875.86  
前側主点位置    70.50     738.25  
後側主点位置    -1.79    -136.03  
ズームレンズ群データ
群  始面    焦点距離  レンズ構成長  前側主点位置  後側主点位置
1    1      68.70        62.55        41.66         -0.46
2   18     -15.70        17.40         0.77        -11.16
3   25     -42.70         5.81        -1.52         -4.85
4   28      50.84         7.74         3.58         -1.32
5   32      52.44       117.99        52.26        -53.18
【００９７】
＜数値実施例１＞
単位 mm
面番号i     ri        di       ndi       vdi      θgFi    有効径   焦点距離
1    -2676.87745   2.50000  1.805181   25.42    0.6161     83.743   -236.030
2      206.69819   7.23428  1.000000                       81.150            
3     2182.11542   2.50000  1.800999   34.97    0.5864     80.026   -673.676
4      434.75221   6.37988  1.433870   95.10    0.5373     79.285    407.728
5     -298.19845   0.20000  1.000000                       78.918            
6      755.00720   4.11230  1.433870   95.10    0.5373     77.558    588.765
7     -386.89677   8.66108  1.000000                       77.267            
8    -2043.70673   8.40314  1.433870   95.10    0.5373     76.523    254.793
9     -105.25519   2.78701  1.000000                       76.028            
10      -80.39305   2.40000  1.749505   35.33    0.5818     75.633   -260.001
11     -137.96059   0.15000  1.000000                       75.932            
12      205.69463   5.36974  1.595220   67.74    0.5442     72.736    265.846
13     -689.63781   0.20000  1.000000                       72.306            
14      763.14692   5.88052  1.595220   67.74    0.5442     70.978    229.383
15     -166.51518   0.47000  1.000000                       70.403            
16       49.42940   5.30184  1.763850   48.51    0.5587     57.105    155.321
17       80.50287    (可変)  1.000000                       55.897            
18      250.61687   1.07000  2.003300   28.27    0.5980     25.882    -16.680
19       15.77681   5.11088  1.000000                       21.292            
20     -337.51390   7.19684  1.808095   22.76    0.6307     21.043     17.585
21      -13.90291   0.81000  1.882997   40.76    0.5667     20.661    -12.047
22       47.70347   0.23000  1.000000                       20.374            
23       31.30591   2.97965  1.761821   26.52    0.6136     20.651     43.240
24      517.24446    (可変)  1.000000                       20.476            
25      -20.45615   0.75000  1.756998   47.82    0.5565     18.280    -20.552
26       67.39764   5.06454  1.846490   23.90    0.6217     20.190     42.748
27      -77.05361    (可変)  1.000000                       21.864            
28     -137.94762   4.19474  1.639999   60.08    0.5370     25.698     99.191
29      -44.11199   0.15000  1.000000                       26.931            
30       84.28721   3.39468  1.516330   64.14    0.5353     28.115    104.540
31     -149.57914    (可変)  1.000000                       28.278            
32        0.00000   0.74000  1.000000                       28.488            
33       46.70041   3.50000  1.589130   61.14    0.5407     28.674    137.616
34      106.51852   2.00000  1.953750   32.32    0.5898     28.239   -293.765
35       76.62048  30.66756  1.000000                       27.746            
36       32.55468   4.33361  1.487490   70.23    0.5300     25.727     65.110
37    -1403.87331   0.20000  1.000000                       25.208            
38      275.62552   1.00000  1.882997   40.76    0.5667     24.943    -23.455
39       19.33483   6.86341  1.496999   81.54    0.5375     23.535     35.958
40     -216.57390   0.17940  1.000000                       23.547            
41       43.74908   7.40065  1.548141   45.79    0.5686     23.449     28.183
42      -22.62651   1.00000  1.882997   40.76    0.5667     23.088    -23.273
43      243.92982   2.12306  1.000000                       23.816            
44       49.76992   7.28464  1.487490   70.23    0.5300     25.210     39.903
45      -30.56786    (可変)  1.000000                       25.461            
46      598.87744   1.49866  1.537750   74.70    0.5392     20.305    -35.133
47       18.35571   5.45577  1.000000                       19.551            
48      -34.85424   1.47027  1.882997   40.76    0.5667     20.059    -20.351
49       38.28999   7.67337  1.761821   26.52    0.6136     22.434     33.012
50      -68.65858   0.99999  1.000000                       25.341            
51       37.29055   5.06532  1.517417   52.43    0.5564     29.466     72.533
52     3273.91861   0.99981  1.000000                       29.782            
53       47.14257   0.99937  2.003300   28.27    0.5980     30.623    -59.515
54       26.15876   9.54140  1.516330   64.14    0.5353     29.909     32.933
55      -42.99406   5.00000  1.000000                       30.217            
56        0.00000  50.00000  1.608590   46.44    0.5664     50.000            
57        0.00000  12.00000  1.516330   64.15    0.5352     50.000            
58        0.00000  23.20000  1.000000                       50.000            
像面
【００９８】
非球面データ
第18面
K = 1.70731e+002  A 4= 9.28346e-006  A 6=-1.76629e-008  A 8= 5.54259e-011  A10=-3.10285e-013  A12= 7.67821e-016  
各種データ
焦点距離      15.12  
Fナンバー      3.19  
半画角        31.43  
像高           9.24  
レンズ全長   327.75  
BF            67.13  
d17            1.32  
d24           44.55  
d27            8.58  
d31            7.18  
d45            4.50  
入射瞳位置      61.51  
射出瞳位置    2063.52  
前側主点位置    76.74  
後側主点位置     8.08  
ズームレンズ群データ
群  始面    焦点距離  レンズ構成長  前側主点位置  後側主点位置
1    1      68.70        62.55        41.66         -0.46
2   18     -15.70        17.40         0.77        -11.16
3   25     -42.70         5.81        -1.52         -4.85
4   28      50.84         7.74         3.58         -1.32
5   32      52.44        67.29        52.26        -19.51
6   46    1158.22       100.70       505.18        810.79
【００９９】
＜数値実施例２＞
単位 mm
面番号i     ri        di       ndi       vdi      θgFi    有効径   焦点距離
1    -2676.87745   2.50000  1.805181   25.42    0.6161     83.743   -236.030
2      206.69819   7.23428  1.000000                       81.150            
3     2182.11542   2.50000  1.800999   34.97    0.5864     80.026   -673.676
4      434.75221   6.37988  1.433870   95.10    0.5373     79.285    407.728
5     -298.19845   0.20000  1.000000                       78.918            
6      755.00720   4.11230  1.433870   95.10    0.5373     77.558    588.765
7     -386.89677   8.66108  1.000000                       77.267            
8    -2043.70673   8.40314  1.433870   95.10    0.5373     76.523    254.793
9     -105.25519   2.78701  1.000000                       76.028            
10      -80.39305   2.40000  1.749505   35.33    0.5818     75.633   -260.001
11     -137.96059   0.15000  1.000000                       75.932            
12      205.69463   5.36974  1.595220   67.74    0.5442     72.736    265.846
13     -689.63781   0.20000  1.000000                       72.306            
14      763.14692   5.88052  1.595220   67.74    0.5442     70.978    229.383
15     -166.51518   0.47000  1.000000                       70.403            
16       49.42940   5.30184  1.763850   48.51    0.5587     57.105    155.321
17       80.50287    (可変)  1.000000                       55.897            
18      250.61687   1.07000  2.003300   28.27    0.5980     25.882    -16.680
19       15.77681   5.11088  1.000000                       21.292            
20     -337.51390   7.19684  1.808095   22.76    0.6307     21.043     17.585
21      -13.90291   0.81000  1.882997   40.76    0.5667     20.661    -12.047
22       47.70347   0.23000  1.000000                       20.374            
23       31.30591   2.97965  1.761821   26.52    0.6136     20.651     43.240
24      517.24446    (可変)  1.000000                       20.476            
25      -20.45615   0.75000  1.756998   47.82    0.5565     18.280    -20.552
26       67.39764   5.06454  1.846490   23.90    0.6217     20.190     42.748
27      -77.05361    (可変)  1.000000                       21.864            
28     -137.94762   4.19474  1.639999   60.08    0.5370     25.698     99.191
29      -44.11199   0.15000  1.000000                       26.931            
30       84.28721   3.39468  1.516330   64.14    0.5353     28.115    104.540
31     -149.57914    (可変)  1.000000                       28.278            
32        0.00000   0.74000  1.000000                       28.488            
33       46.70041   3.50000  1.589130   61.14    0.5407     28.674    137.616
34      106.51852   2.00000  1.953750   32.32    0.5898     28.239   -293.765
35       76.62048  30.66756  1.000000                       27.746            
36       32.55468   4.33361  1.487490   70.23    0.5300     25.727     65.110
37    -1403.87331   0.20000  1.000000                       25.208            
38      275.62552   1.00000  1.882997   40.76    0.5667     24.943    -23.455
39       19.33483   6.86341  1.496999   81.54    0.5375     23.535     35.958
40     -216.57390   0.17940  1.000000                       23.547            
41       43.74908   7.40065  1.548141   45.79    0.5686     23.449     28.183
42      -22.62651   1.00000  1.882997   40.76    0.5667     23.088    -23.273
43      243.92982   2.12306  1.000000                       23.816            
44       49.76992   7.28464  1.487490   70.23    0.5300     25.210     39.903
45      -30.56786    (可変)  1.000000                       25.461            
46      131.20982   1.49992  1.882997   40.76    0.5667     24.467    -29.472
47       21.70456   8.00121  1.000000                       23.117            
48       55.66767   8.00077  1.761821   26.52    0.6136     26.681     25.838
49      -28.94398   1.77244  1.816000   46.62    0.5568     26.937    -28.710
50      129.76764  15.00021  1.000000                       27.581            
51     -342.58781   9.67907  1.517417   52.43    0.5564     32.940     65.914
52      -31.44604   0.99954  1.000000                       34.359            
53      -54.68926   2.06112  2.003300   28.27    0.5980     33.527    -38.307
54      135.53636   8.00044  1.677898   50.72    0.5557     34.723     46.066
55      -39.84904   5.00000  1.000000                       35.534            
56        0.00000  55.00000  1.608590   46.44    0.5664     50.000            
57        0.00000  13.00000  1.516330   64.15    0.5352     50.000            
58        0.00000  30.00000  1.000000                       50.000            
像面
【０１００】
非球面データ
第18面
K = 1.70731e+002  A 4= 9.28346e-006  A 6=-1.76629e-008  A 8= 5.54259e-011  A10=-3.10285e-013  A12= 7.67821e-016  
各種データ
焦点距離      20.70  
Fナンバー      4.37  
半画角        31.43  
像高          12.65  
レンズ全長   360.46  
BF            77.69  
d17            1.32  
d24           44.55  
d27            8.58  
d31            7.18  
d45            5.34  
入射瞳位置      61.51  
射出瞳位置   -1421.60  
前側主点位置    81.91  
後側主点位置     9.30  
ズームレンズ群データ
群  始面    焦点距離  レンズ構成長  前側主点位置  後側主点位置
1    1      68.70        62.55        41.66         -0.46
2   18     -15.70        17.40         0.77        -11.16
3   25     -42.70         5.81        -1.52         -4.85
4   28      50.84         7.74         3.58         -1.32
5   32      52.44        67.29        52.26        -19.51
6   46    -642.98       128.01      -327.89       -805.88
【０１０１】
＜数値実施例３＞
単位 mm
面番号i     ri        di       ndi       vdi      θgFi    有効径   焦点距離
1    -2676.87745   2.50000  1.805181   25.42    0.6161     83.743   -236.030
2      206.69819   7.23428  1.000000                       81.150            
3     2182.11542   2.50000  1.800999   34.97    0.5864     80.026   -673.676
4      434.75221   6.37988  1.433870   95.10    0.5373     79.285    407.728
5     -298.19845   0.20000  1.000000                       78.918            
6      755.00720   4.11230  1.433870   95.10    0.5373     77.558    588.765
7     -386.89677   8.66108  1.000000                       77.267            
8    -2043.70673   8.40314  1.433870   95.10    0.5373     76.523    254.793
9     -105.25519   2.78701  1.000000                       76.028            
10      -80.39305   2.40000  1.749505   35.33    0.5818     75.633   -260.001
11     -137.96059   0.15000  1.000000                       75.932            
12      205.69463   5.36974  1.595220   67.74    0.5442     72.736    265.846
13     -689.63781   0.20000  1.000000                       72.306            
14      763.14692   5.88052  1.595220   67.74    0.5442     70.978    229.383
15     -166.51518   0.47000  1.000000                       70.403            
16       49.42940   5.30184  1.763850   48.51    0.5587     57.105    155.321
17       80.50287    (可変)  1.000000                       55.897            
18      250.61687   1.07000  2.003300   28.27    0.5980     25.882    -16.680
19       15.77681   5.11088  1.000000                       21.292            
20     -337.51390   7.19684  1.808095   22.76    0.6307     21.043     17.585
21      -13.90291   0.81000  1.882997   40.76    0.5667     20.661    -12.047
22       47.70347   0.23000  1.000000                       20.374            
23       31.30591   2.97965  1.761821   26.52    0.6136     20.651     43.240
24      517.24446    (可変)  1.000000                       20.476            
25      -20.45615   0.75000  1.756998   47.82    0.5565     18.280    -20.552
26       67.39764   5.06454  1.846490   23.90    0.6217     20.190     42.748
27      -77.05361    (可変)  1.000000                       21.864            
28     -137.94762   4.19474  1.639999   60.08    0.5370     25.698     99.191
29      -44.11199   0.15000  1.000000                       26.931            
30       84.28721   3.39468  1.516330   64.14    0.5353     28.115    104.540
31     -149.57914    (可変)  1.000000                       28.278            
32        0.00000   0.74000  1.000000                       28.488            
33       46.70041   3.50000  1.589130   61.14    0.5407     28.674    137.616
34      106.51852   2.00000  1.953750   32.32    0.5898     28.239   -293.765
35       76.62048  30.66756  1.000000                       27.746            
36       32.55468   4.33361  1.487490   70.23    0.5300     25.727     65.110
37    -1403.87331   0.20000  1.000000                       25.208            
38      275.62552   1.00000  1.882997   40.76    0.5667     24.943    -23.455
39       19.33483   6.86341  1.496999   81.54    0.5375     23.535     35.958
40     -216.57390   0.17940  1.000000                       23.547            
41       43.74908   7.40065  1.548141   45.79    0.5686     23.449     28.183
42      -22.62651   1.00000  1.882997   40.76    0.5667     23.088    -23.273
43      243.92982   2.12306  1.000000                       23.816            
44       49.76992   7.28464  1.487490   70.23    0.5300     25.210     39.903
45      -30.56786    (可変)  1.000000                       25.461            
46      229.17139   0.99839  1.595220   67.74    0.5442     22.589    -30.603
47       16.90198   3.51343  1.000000                       21.494            
48       36.24051   6.25474  1.672700   32.10    0.5988     22.556     24.325
49      -28.12858   3.46693  1.882997   40.76    0.5667     22.805    -18.732
50       43.08182   2.12544  1.000000                       24.370            
51       39.82216   8.00004  1.438750   94.93    0.5340     27.535     76.047
52     -196.19539   2.24545  1.000000                       29.592            
53      -64.22621   2.90514  1.892860   20.36    0.6393     30.131   -136.488
54     -136.97044   8.00100  1.531717   48.84    0.5631     32.042     50.550
55      -23.01945   5.00000  1.000000                       33.140            
56        0.00000  54.00000  1.608590   46.44    0.5664     50.000            
57        0.00000  12.00000  1.516330   64.15    0.5352     50.000            
58        0.00000  29.26000  1.000000                       50.000            
像面
【０１０２】
非球面データ
第18面
K = 1.70731e+002  A 4= 9.28346e-006  A 6=-1.76629e-008  A 8= 5.54259e-011  A10=-3.10285e-013  A12= 7.67821e-016  
各種データ
焦点距離      18.00  
Fナンバー      3.80  
半画角        31.43  
像高          11.00  
レンズ全長   340.10  
BF            75.67  
d17            1.32  
d24           44.55  
d27            8.58  
d31            7.18  
d45            4.50  
入射瞳位置      61.51  
射出瞳位置    -863.51  
前側主点位置    79.14  
後側主点位置    11.26  
ズームレンズ群データ
群  始面    焦点距離  レンズ構成長  前側主点位置  後側主点位置
1    1      68.70        62.55        41.66         -0.46
2   18     -15.70        17.40         0.77        -11.16
3   25     -42.70         5.81        -1.52         -4.85
4   28      50.84         7.74         3.58         -1.32
5   32      52.44        67.29        52.26        -19.51
6   46    -453.18       108.51      -190.21       -423.92
【０１０３】
＜数値実施例４＞
単位 mm
面番号i     ri        di       ndi       vdi      θgFi    有効径   焦点距離
1    -2676.87745   2.50000  1.805181   25.42    0.6161     83.743   -236.030
2      206.69819   7.23428  1.000000                       81.150            
3     2182.11542   2.50000  1.800999   34.97    0.5864     80.026   -673.676
4      434.75221   6.37988  1.433870   95.10    0.5373     79.285    407.728
5     -298.19845   0.20000  1.000000                       78.918            
6      755.00720   4.11230  1.433870   95.10    0.5373     77.558    588.765
7     -386.89677   8.66108  1.000000                       77.267            
8    -2043.70673   8.40314  1.433870   95.10    0.5373     76.523    254.793
9     -105.25519   2.78701  1.000000                       76.028            
10      -80.39305   2.40000  1.749505   35.33    0.5818     75.633   -260.001
11     -137.96059   0.15000  1.000000                       75.932            
12      205.69463   5.36974  1.595220   67.74    0.5442     72.736    265.846
13     -689.63781   0.20000  1.000000                       72.306            
14      763.14692   5.88052  1.595220   67.74    0.5442     70.978    229.383
15     -166.51518   0.47000  1.000000                       70.403            
16       49.42940   5.30184  1.763850   48.51    0.5587     57.105    155.321
17       80.50287    (可変)  1.000000                       55.897            
18      250.61687   1.07000  2.003300   28.27    0.5980     25.882    -16.680
19       15.77681   5.11088  1.000000                       21.292            
20     -337.51390   7.19684  1.808095   22.76    0.6307     21.043     17.585
21      -13.90291   0.81000  1.882997   40.76    0.5667     20.661    -12.047
22       47.70347   0.23000  1.000000                       20.374            
23       31.30591   2.97965  1.761821   26.52    0.6136     20.651     43.240
24      517.24446    (可変)  1.000000                       20.476            
25      -20.45615   0.75000  1.756998   47.82    0.5565     18.280    -20.552
26       67.39764   5.06454  1.846490   23.90    0.6217     20.190     42.748
27      -77.05361    (可変)  1.000000                       21.864            
28     -137.94762   4.19474  1.639999   60.08    0.5370     25.698     99.191
29      -44.11199   0.15000  1.000000                       26.931            
30       84.28721   3.39468  1.516330   64.14    0.5353     28.115    104.540
31     -149.57914    (可変)  1.000000                       28.278            
32        0.00000   0.74000  1.000000                       28.488            
33       46.70041   3.50000  1.589130   61.14    0.5407     28.674    137.616
34      106.51852   2.00000  1.953750   32.32    0.5898     28.239   -293.765
35       76.62048  30.66756  1.000000                       27.746            
36       32.55468   4.33361  1.487490   70.23    0.5300     25.727     65.110
37    -1403.87331   0.20000  1.000000                       25.208            
38      275.62552   1.00000  1.882997   40.76    0.5667     24.943    -23.455
39       19.33483   6.86341  1.496999   81.54    0.5375     23.535     35.958
40     -216.57390   0.17940  1.000000                       23.547            
41       43.74908   7.40065  1.548141   45.79    0.5686     23.449     28.183
42      -22.62651   1.00000  1.882997   40.76    0.5667     23.088    -23.273
43      243.92982   2.12306  1.000000                       23.816            
44       49.76992   7.28464  1.487490   70.23    0.5300     25.210     39.903
45      -30.56786    (可変)  1.000000                       25.461            
46      255.95909   1.49894  1.743997   44.78    0.5655     22.588    -46.543
47       30.56705   8.00012  1.000000                       21.863            
48      406.34178   0.99982  1.595220   67.74    0.5442     22.989    -56.373
49       31.06710   4.14631  1.749505   35.33    0.5818     23.277     43.281
50      601.65119   3.98451  1.000000                       23.300            
51      -79.29006   3.96837  1.438750   94.93    0.5340     23.449     85.610
52      -25.92122   0.99790  1.000000                       23.696            
53      -30.92321   0.99949  1.772499   49.60    0.5520     23.246    -15.905
54       20.83899   5.26313  1.698947   30.13    0.6030     24.703     28.713
55     -616.26874   0.99879  1.000000                       25.002            
56       31.47273   2.67532  1.959060   17.47    0.6598     26.864   -105.984
57       23.09693   6.46802  1.517417   52.43    0.5564     25.955     40.076
58     -191.89340   5.00000  1.000000                       26.099            
59        0.00000  52.00000  1.608590   46.44    0.5664     50.000            
60        0.00000  13.00000  1.516330   64.15    0.5352     50.000            
61        0.00000  24.19000  1.000000                       50.000            
像面
【０１０４】
非球面データ
第18面
K = 1.70731e+002  A 4= 9.28346e-006  A 6=-1.76629e-008  A 8= 5.54259e-011  A10=-3.10285e-013  A12= 7.67821e-016  
各種データ
焦点距離      23.40  
Fナンバー      4.94  
半画角        31.43  
像高          14.30  
レンズ全長   336.94  
BF            70.02  
d17            1.32  
d24           44.55  
d27            8.58  
d31            7.18  
d45            4.50  
d61           24.19  
入射瞳位置      61.51  
射出瞳位置    -153.12  
前側主点位置    81.82  
後側主点位置     0.79  
ズームレンズ群データ
群  始面    焦点距離  レンズ構成長  前側主点位置  後側主点位置
1    1      68.70        62.55        41.66         -0.46
2   18     -15.70        17.40         0.77        -11.16
3   25     -42.70         5.81        -1.52         -4.85
4   28      50.84         7.74         3.58         -1.32
5   32      52.44        67.29        52.26        -19.51
6   46     -68.32       110.00        -5.66        -85.12
【０１０５】
＜数値実施例５＞
単位 mm
面番号i     ri        di       ndi       vdi      θgFi    有効径   焦点距離
1    -2676.87745   2.50000  1.805181   25.42    0.6161     83.743   -236.030
2      206.69819   7.23428  1.000000                       81.150            
3     2182.11542   2.50000  1.800999   34.97    0.5864     80.026   -673.676
4      434.75221   6.37988  1.433870   95.10    0.5373     79.285    407.728
5     -298.19845   0.20000  1.000000                       78.918            
6      755.00720   4.11230  1.433870   95.10    0.5373     77.558    588.765
7     -386.89677   8.66108  1.000000                       77.267            
8    -2043.70673   8.40314  1.433870   95.10    0.5373     76.523    254.793
9     -105.25519   2.78701  1.000000                       76.028            
10      -80.39305   2.40000  1.749505   35.33    0.5818     75.633   -260.001
11     -137.96059   0.15000  1.000000                       75.932            
12      205.69463   5.36974  1.595220   67.74    0.5442     72.736    265.846
13     -689.63781   0.20000  1.000000                       72.306            
14      763.14692   5.88052  1.595220   67.74    0.5442     70.978    229.383
15     -166.51518   0.47000  1.000000                       70.403            
16       49.42940   5.30184  1.763850   48.51    0.5587     57.105    155.321
17       80.50287    (可変)  1.000000                       55.897            
18      250.61687   1.07000  2.003300   28.27    0.5980     25.882    -16.680
19       15.77681   5.11088  1.000000                       21.292            
20     -337.51390   7.19684  1.808095   22.76    0.6307     21.043     17.585
21      -13.90291   0.81000  1.882997   40.76    0.5667     20.661    -12.047
22       47.70347   0.23000  1.000000                       20.374            
23       31.30591   2.97965  1.761821   26.52    0.6136     20.651     43.240
24      517.24446    (可変)  1.000000                       20.476            
25      -20.45615   0.75000  1.756998   47.82    0.5565     18.280    -20.552
26       67.39764   5.06454  1.846490   23.90    0.6217     20.190     42.748
27      -77.05361    (可変)  1.000000                       21.864            
28     -137.94762   4.19474  1.639999   60.08    0.5370     25.698     99.191
29      -44.11199   0.15000  1.000000                       26.931            
30       84.28721   3.39468  1.516330   64.14    0.5353     28.115    104.540
31     -149.57914    (可変)  1.000000                       28.278            
32        0.00000   0.74000  1.000000                       28.488            
33       46.70041   3.50000  1.589130   61.14    0.5407     28.674    137.616
34      106.51852   2.00000  1.953750   32.32    0.5898     28.239   -293.765
35       76.62048  30.66756  1.000000                       27.746            
36       32.55468   4.33361  1.487490   70.23    0.5300     25.727     65.110
37    -1403.87331   0.20000  1.000000                       25.208            
38      275.62552   1.00000  1.882997   40.76    0.5667     24.943    -23.455
39       19.33483   6.86341  1.496999   81.54    0.5375     23.535     35.958
40     -216.57390   0.17940  1.000000                       23.547            
41       43.74908   7.40065  1.548141   45.79    0.5686     23.449     28.183
42      -22.62651   1.00000  1.882997   40.76    0.5667     23.088    -23.273
43      243.92982   2.12306  1.000000                       23.816            
44       49.76992   7.28464  1.487490   70.23    0.5300     25.210     39.903
45      -30.56786    (可変)  1.000000                       25.461            
46       60.05806   1.49989  1.733997   51.47    0.5486     21.220    -35.827
47       18.15344   3.13413  1.000000                       20.076            
48       41.95718   6.07228  1.717362   29.52    0.6047     20.699     26.991
49      -34.27502   3.00000  1.772499   49.60    0.5520     20.797    -80.101
50      -79.30322   4.00046  1.000000                       20.989            
51      -32.44443   1.38890  1.882997   40.76    0.5667     20.625    -20.670
52       43.13524  10.51448  1.000000                       21.736            
53      156.05033   9.77041  1.518229   58.90    0.5457     33.129     44.326
54      -26.48374   0.99999  1.000000                       34.589            
55      392.55106   1.49999  2.001000   29.13    0.5997     35.164    -64.948
56       56.05581   9.54931  1.563839   60.67    0.5402     35.131     41.118
57      -37.35030   5.00000  1.000000                       35.530            
58        0.00000  45.00000  1.608590   46.44    0.5664     50.000            
59        0.00000  10.00000  1.516330   64.15    0.5352     50.000            
60       0.00000   11.50000  1.000000                       50.000            
像面
【０１０６】
非球面データ
第18面
K = 1.70731e+002  A 4= 9.28346e-006  A 6=-1.76629e-008  A 8= 5.54259e-011  A10=-3.10285e-013  A12= 7.67821e-016  
各種データ
焦点距離      13.50  
Fナンバー      2.85  
半画角        31.43  
像高           8.25  
レンズ全長   329.36  
BF            51.01  
d17            1.32  
d24           44.55  
d27            8.58  
d31            7.18  
d45            4.50  
d60           11.50  
入射瞳位置      61.51  
射出瞳位置     125.80  
前側主点位置    76.60  
後側主点位置    -2.00  
ズームレンズ群データ
群  始面    焦点距離  レンズ構成長  前側主点位置  後側主点位置
1    1      68.70        62.55        41.66         -0.46
2   18     -15.70        17.40         0.77        -11.16
3   25     -42.70         5.81        -1.52         -4.85
4   28      50.84         7.74         3.58         -1.32
5   32      52.44        67.29        52.26        -19.51
6   46      75.94       111.43        61.69         49.47
【０１０７】
＜数値実施例６＞
単位 mm
面番号i     ri        di       ndi       vdi      θgFi    有効径   焦点距離
1    -2676.87745   2.50000  1.805181   25.42    0.6161     83.743   -236.030
2      206.69819   7.23428  1.000000                       81.150            
3     2182.11542   2.50000  1.800999   34.97    0.5864     80.026   -673.676
4      434.75221   6.37988  1.433870   95.10    0.5373     79.285    407.728
5     -298.19845   0.20000  1.000000                       78.918            
6      755.00720   4.11230  1.433870   95.10    0.5373     77.558    588.765
7     -386.89677   8.66108  1.000000                       77.267            
8    -2043.70673   8.40314  1.433870   95.10    0.5373     76.523    254.793
9     -105.25519   2.78701  1.000000                       76.028            
10      -80.39305   2.40000  1.749505   35.33    0.5818     75.633   -260.001
11     -137.96059   0.15000  1.000000                       75.932            
12      205.69463   5.36974  1.595220   67.74    0.5442     72.736    265.846
13     -689.63781   0.20000  1.000000                       72.306            
14      763.14692   5.88052  1.595220   67.74    0.5442     70.978    229.383
15     -166.51518   0.47000  1.000000                       70.403            
16       49.42940   5.30184  1.763850   48.51    0.5587     57.105    155.321
17       80.50287    (可変)  1.000000                       55.897            
18      250.61687   1.07000  2.003300   28.27    0.5980     25.882    -16.680
19       15.77681   5.11088  1.000000                       21.292            
20     -337.51390   7.19684  1.808095   22.76    0.6307     21.043     17.585
21      -13.90291   0.81000  1.882997   40.76    0.5667     20.661    -12.047
22       47.70347   0.23000  1.000000                       20.374            
23       31.30591   2.97965  1.761821   26.52    0.6136     20.651     43.240
24      517.24446    (可変)  1.000000                       20.476            
25      -20.45615   0.75000  1.756998   47.82    0.5565     18.280    -20.552
26       67.39764   5.06454  1.846490   23.90    0.6217     20.190     42.748
27      -77.05361    (可変)  1.000000                       21.864            
28     -137.94762   4.19474  1.639999   60.08    0.5370     25.698     99.191
29      -44.11199   0.15000  1.000000                       26.931            
30       84.28721   3.39468  1.516330   64.14    0.5353     28.115    104.540
31     -149.57914    (可変)  1.000000                       28.278            
32        0.00000   0.74000  1.000000                       28.488            
33       46.70041   3.50000  1.589130   61.14    0.5407     28.674    137.616
34      106.51852   2.00000  1.953750   32.32    0.5898     28.239   -293.765
35       76.62048  30.66756  1.000000                       27.746            
36       32.55468   4.33361  1.487490   70.23    0.5300     25.727     65.110
37    -1403.87331   0.20000  1.000000                       25.208            
38      275.62552   1.00000  1.882997   40.76    0.5667     24.943    -23.455
39       19.33483   6.86341  1.496999   81.54    0.5375     23.535     35.958
40     -216.57390   0.17940  1.000000                       23.547            
41       43.74908   7.40065  1.548141   45.79    0.5686     23.449     28.183
42      -22.62651   1.00000  1.882997   40.76    0.5667     23.088    -23.273
43      243.92982   2.12306  1.000000                       23.816            
44       49.76992   7.28464  1.487490   70.23    0.5300     25.210     39.903
45      -30.56786    (可変)  1.000000                       25.461            
46      -82.64380   1.49871  1.804000   46.58    0.5573     21.707    -21.545
47       22.23602   4.10335  1.000000                       21.509            
48       38.03771   7.68621  1.717362   29.52    0.6047     25.309     27.142
49      -37.10921   2.89473  1.000000                       25.987            
50      -38.29437   3.40438  1.438750   94.93    0.5340     25.464    141.455
51      -24.34854   2.09036  1.000000                       25.654            
52      -23.83689   1.49991  1.916500   31.60    0.5911     24.634    -24.759
53      575.84700   6.82282  1.563839   60.67    0.5402     26.448     36.741
54      -21.48443   5.00000  1.000000                       27.262            
55        0.00000  45.00000  1.608590   46.44    0.5664     50.000            
56        0.00000  10.00000  1.516330   64.15    0.5352     50.000            
57        0.00000  13.17000  1.000000                       50.000            
像面
【０１０８】
非球面データ
第18面
K = 1.70731e+002  A 4= 9.28346e-006  A 6=-1.76629e-008  A 8= 5.54259e-011  A10=-3.10285e-013  A12= 7.67821e-016  
各種データ
焦点距離      13.95  
Fナンバー      2.94  
半画角        31.43  
像高           8.53  
レンズ全長   309.59  
BF            52.67  
d17            1.32  
d24           44.55  
d27            8.58  
d31            7.18  
d45            4.50  
入射瞳位置      61.51  
射出瞳位置   -2172.52  
前側主点位置    75.37  
後側主点位置    -0.78  
ズームレンズ群データ
群  始面    焦点距離  レンズ構成長  前側主点位置  後側主点位置
1    1      68.70        62.55        41.66         -0.46
2   18     -15.70        17.40         0.77        -11.16
3   25     -42.70         5.81        -1.52         -4.85
4   28      50.84         7.74         3.58         -1.32
5   32      52.44        67.29        52.26        -19.51
6   46   -1501.92        90.00      -496.56       -812.89
【０１０９】
＜マスターレンズ２＞
単位 mm
面番号i     ri        di       ndi       vdi      θgFi    有効径   焦点距離
1     6797.00000   6.00000  1.834000   37.16    0.5776    201.250   -427.333
2      340.55544   2.16846  1.000000                      194.288            
3      344.60560  27.02980  1.433870   95.10    0.5373    195.026    483.368
4     -526.41708  25.44604  1.000000                      195.609            
5      317.11504  18.90832  1.433870   95.10    0.5373    198.517    739.359
6    22370.55003   0.25000  1.000000                      198.012            
7      252.02981  19.58207  1.433870   95.10    0.5373    193.671    681.551
8     1642.44953   1.20000  1.000000                      192.440            
9      210.80230  14.00000  1.496999   81.54    0.5375    182.269    793.424
10      441.44413    (可変)  1.000000                      180.524            
11    -7064.01182   2.20000  2.003300   28.27    0.5980     46.419    -52.950
12       53.98674   8.05582  1.000000                       41.271            
13      -77.05757   1.40000  1.834807   42.71    0.5642     40.179    -36.203
14       50.59902   7.75585  1.959060   17.47    0.6597     38.937     35.987
15     -104.71398   1.71806  1.000000                       38.522            
16      -65.38717   1.60000  1.882997   40.76    0.5667     37.931    -53.580
17      176.81880    (可変)  1.000000                       37.365            
18      211.53009   8.67340  1.618000   63.33    0.5441     73.576    170.014
19     -207.02964   0.50000  1.000000                       74.108            
20      182.48621   9.64438  1.592010   67.02    0.5357     75.372    164.013
21     -204.97727   0.20000  1.000000                       75.260            
22      183.20446   2.50000  1.805181   25.42    0.6161     72.978   -133.667
23       67.77481  12.64284  1.438750   94.93    0.5340     69.956    154.085
24        0.00000    (可変)  1.000000                       69.529            
25      146.28125   3.50000  1.738000   32.26    0.5899     68.244   -325.199
26       90.20692   0.18229  1.000000                       66.362            
27       89.84076   9.06852  1.651597   58.55    0.5425     66.363    116.192
28     -474.37141    (可変)  1.000000                       65.886            
29        0.00000   2.58913  1.000000                       29.588            
30      -78.87459   1.80000  1.816000   46.62    0.5568     28.804    -25.127
31       28.18412   5.33716  1.808095   22.76    0.6307     27.782     36.015
32      621.40708   5.00436  1.000000                       27.510            
33      -30.07184   3.99834  1.816000   46.62    0.5568     27.130    -22.704
34       51.83074  14.30965  1.548141   45.79    0.5686     30.187     35.877
35      -28.82109  29.22478  1.000000                       33.552            
36     -340.35564  13.14140  1.487490   70.23    0.5300     34.787     89.125
37      -39.13525   0.19997  1.000000                       35.329            
38      -93.01765   3.79997  1.834000   37.16    0.5776     34.073    -36.976
39       47.44248   7.03399  1.487490   70.23    0.5300     33.564     53.123
40      -54.65398   4.36774  1.000000                       33.700            
41    -3347.51559   9.43058  1.517417   52.43    0.5564     32.558     60.172
42      -31.01546   1.54305  1.882997   40.76    0.5667     32.036    -58.211
43      -79.33522   0.94307  1.000000                       32.682            
44       68.15021   5.01899  1.517417   52.43    0.5564     33.029     72.477
45      -82.10984  15.00000  1.000000                       32.882      
46        0.00000  33.00000  1.608590   46.44    0.5664     60.000            
47        0.00000  13.20000  1.516330   64.15    0.5352     60.000            
48        0.00000  10.00000  1.000000                       60.000            
像面
【０１１０】
非球面データ
第11面
K =-2.36774e+005  A 4= 5.62251e-007  A 6= 1.21054e-010  A 8=-1.11890e-013  
第19面
K =-2.02204e+001  A 4=-4.61496e-008  A 6= 4.15741e-011  A 8=-2.11496e-015  
第25面
K = 3.71110e+000  A 4=-1.10320e-007  A 6=-4.77366e-011  A 8= 5.69740e-015  
各種データ
ズーム比    120.00 
焦点距離       8.90    29.46   251.97   1068.00  
Fナンバー      1.80     1.80     1.80      5.50  
半画角        31.72    10.58     1.25      0.30  
像高           5.50     5.50     5.50      5.50  
レンズ全長   652.49   652.49   652.49    652.49  
BF            54.17    54.17    54.17     54.17  
d10            2.77   102.87   181.18   197.68  
d17          280.86   169.52    69.26     2.00  
d24           19.22    16.15     1.09    38.20  
d28            3.50    17.82    54.83    68.47  
入射瞳位置    129.67   436.82   2659.43   17257.92  
射出瞳位置    133.28   133.28    133.28     133.28  
前側主点位置  139.21   473.31   3426.38   27578.10  
後側主点位置    1.10   -19.46   -241.97   -1058.00  
ズームレンズ群データ
群  始面    焦点距離  レンズ構成長  前側主点位置  後側主点位置
1    1     255.48       114.58        65.47        -19.09
2   11     -24.37        22.73         6.48         -8.41
3   18      91.75        34.16         4.55        -17.75
4   25     182.76        12.75         1.83         -5.91
5   29      37.03       168.94        53.49         12.97
【０１１１】
＜数値実施例７＞
単位 mm
面番号i     ri        di       ndi       vdi      θgFi    有効径   焦点距離
1     6797.00000   6.00000  1.834000   37.16    0.5776    201.250   -427.333
2      340.55544   2.16846  1.000000                      194.288            
3      344.60560  27.02980  1.433870   95.10    0.5373    195.026    483.368
4     -526.41708  25.44604  1.000000                      195.609            
5      317.11504  18.90832  1.433870   95.10    0.5373    198.517    739.359
6    22370.55003   0.25000  1.000000                      198.012            
7      252.02981  19.58207  1.433870   95.10    0.5373    193.671    681.551
8     1642.44953   1.20000  1.000000                      192.440            
9      210.80230  14.00000  1.496999   81.54    0.5375    182.269    793.424
10      441.44413    (可変)  1.000000                      180.524            
11    -7064.01182   2.20000  2.003300   28.27    0.5980     46.419    -52.950
12       53.98674   8.05582  1.000000                       41.271            
13      -77.05757   1.40000  1.834807   42.71    0.5642     40.179    -36.203
14       50.59902   7.75585  1.959060   17.47    0.6597     38.937     35.987
15     -104.71398   1.71806  1.000000                       38.522            
16      -65.38717   1.60000  1.882997   40.76    0.5667     37.931    -53.580
17      176.81880    (可変)  1.000000                       37.365            
18      211.53009   8.67340  1.618000   63.33    0.5441     73.576    170.014
19     -207.02964   0.50000  1.000000                       74.108            
20      182.48621   9.64438  1.592010   67.02    0.5357     75.372    164.013
21     -204.97727   0.20000  1.000000                       75.260            
22      183.20446   2.50000  1.805181   25.42    0.6161     72.978   -133.667
23       67.77481  12.64284  1.438750   94.93    0.5340     69.956     -1.#IO
24        0.00000    (可変)  1.000000                       69.529            
25      146.28125   3.50000  1.738000   32.26    0.5899     68.244   -325.199
26       90.20692   0.18229  1.000000                       66.362            
27       89.84076   9.06852  1.651597   58.55    0.5425     66.363    116.192
28     -474.37141    (可変)  1.000000                       65.886            
29        0.00000   2.58913  1.000000                       29.588            
30      -78.87459   1.80000  1.816000   46.62    0.5568     28.804    -25.127
31       28.18412   5.33716  1.808095   22.76    0.6307     27.782     36.015
32      621.40708   5.00436  1.000000                       27.510            
33      -30.07184   3.99834  1.816000   46.62    0.5568     27.130    -22.704
34       51.83074  14.30965  1.548141   45.79    0.5686     30.187     35.877
35      -28.82109  29.22478  1.000000                       33.552            
36     -340.35564  13.14140  1.487490   70.23    0.5300     34.787     89.125
37      -39.13525   0.19997  1.000000                       35.329            
38      -93.01765   3.79997  1.834000   37.16    0.5776     34.073    -36.976
39       47.44248   7.03399  1.487490   70.23    0.5300     33.564     53.123
40      -54.65398   4.36774  1.000000                       33.700            
41    -3347.51559   9.43058  1.517417   52.43    0.5564     32.558     60.172
42      -31.01546   1.54305  1.882997   40.76    0.5667     32.036    -58.211
43      -79.33522   0.94307  1.000000                       32.682            
44       68.15021   5.01899  1.517417   52.43    0.5564     33.029     72.477
45      -82.10984    (可変)  1.000000                       32.882            
46      140.13163   1.39969  1.537750   74.70    0.5392     30.132    -90.593
47       36.10799   6.29053  1.000000                       28.936            
48     -577.01986   2.65830  1.761821   26.52    0.6136     28.785    204.921
49     -123.97587   1.39828  1.882997   40.76    0.5667     28.774    -44.552
50       58.42689   0.99957  1.000000                       28.811            
51       51.10590   5.49484  1.625882   35.70    0.5893     29.495     51.366
52      -84.56926  11.99992  1.000000                       29.603            
53      -96.87722   0.99996  1.882997   40.76    0.5667     27.909    -69.493
54      170.89425   0.73098  1.000000                       28.076            
55       50.01761   7.02809  1.592701   35.31    0.5933     28.689     36.520
56      -36.58353   0.99995  2.003300   28.27    0.5980     28.571    -59.875
57      -93.63893   5.00000  1.000000                       28.926            
58        0.00000  55.00000  1.608590   46.44    0.5664     50.000            
59        0.00000  13.00000  1.516330   64.15    0.5352     50.000            
60        0.00000  29.86000  1.000000                       50.000            
像面
【０１１２】
非球面データ
第11面
K =-2.36774e+005  A 4= 5.62251e-007  A 6= 1.21054e-010  A 8=-1.11890e-013  
第19面
K =-2.02204e+001  A 4=-4.61496e-008  A 6= 4.15741e-011  A 8=-2.11496e-015  
第25面
K = 3.71110e+000  A 4=-1.10320e-007  A 6=-4.77366e-011  A 8= 5.69740e-015  
各種データ
ズーム比      1.00 
焦点距離      19.58  
Fナンバー      3.96  
半画角        31.72  
像高          12.10  
レンズ全長   720.37  
BF            77.55  
d10            2.77  
d17          280.86  
d24           19.22  
d28            3.50  
d45            4.50  
d60           29.86  
入射瞳位置     129.67  
射出瞳位置    -276.11  
前側主点位置   148.00  
後側主点位置    10.28  
ズームレンズ群データ
群  始面    焦点距離  レンズ構成長  前側主点位置  後側主点位置
1    1     255.48       114.58        65.47        -19.09
2   11     -24.37        22.73         6.48         -8.41
3   18      91.75        34.16         4.55        -17.75
4   25     182.76        12.75         1.83         -5.91
5   29      37.03       107.74        53.49         57.14
6   46     -91.93       113.00        -0.48        -80.46
【０１１３】
＜マスターレンズ３＞
単位 mm
面番号i     ri        di       ndi       vdi      θgFi    有効径   焦点距離
1    17634.27085   4.70000  1.696797   55.53    0.5434    183.192   -158.048
2      109.89881  46.91956  1.000000                      152.380            
3     -201.32462   4.50000  1.696797   55.53    0.5434    151.931   -258.938
4     1829.57686   0.15000  1.000000                      154.998            
5      283.52253  12.63988  1.805181   25.42    0.6161    158.027    400.193
6     2167.46361   5.14617  1.000000                      157.760            
7    -2805.89626  18.48548  1.487490   70.23    0.5300    157.470    430.891
8     -196.46713   0.20000  1.000000                      157.293            
9    -1000.46915   4.40000  1.805181   25.42    0.6161    149.488   -462.888
10      603.99761  16.54806  1.487490   70.23    0.5300    146.782    419.320
11     -307.78183  32.56358  1.000000                      146.029            
12      315.15572  17.48057  1.487490   70.23    0.5300    155.937    424.194
13     -596.32026   0.15000  1.000000                      156.087            
14      191.13666   4.40000  1.805181   25.42    0.6161    155.178   -390.576
15      118.06534   0.38536  1.000000                      149.208            
16      119.29093  35.44036  1.487490   70.23    0.5300    149.239    203.020
17     -534.94067   0.15000  1.000000                      148.581            
18      200.94019  12.13262  1.620411   60.29    0.5427    141.587    423.066
19      826.60720    (可変)  1.000000                      140.299            
20      129.42474   1.50000  1.882997   40.76    0.5667     52.293   -147.299
21       64.70538   6.89982  1.000000                       48.692            
22     -200.59165   1.50000  1.729157   54.68    0.5444     47.845    -47.089
23       41.77592  10.45708  1.846660   23.78    0.6205     43.428     36.240
24     -106.13437   1.50000  1.729157   54.68    0.5444     42.528    -64.952
25       86.71459   6.25454  1.000000                       41.002            
26      -81.26395   1.50000  1.882997   40.76    0.5667     40.909    -67.273
27      227.62743    (可変)  1.000000                       41.934            
28      600.75417   6.75242  1.620411   60.29    0.5427     51.995    154.562
29     -114.14793   0.15000  1.000000                       52.853            
30      117.66770  11.70590  1.487490   70.23    0.5300     53.849     95.976
31      -75.55843   0.09304  1.000000                       53.665            
32      -76.87444   1.60000  1.805181   25.42    0.6161     53.568   -222.857
33     -134.82035   0.15000  1.000000                       53.886            
34       86.22575   1.60000  1.805181   25.42    0.6161     52.649   -141.089
35       48.80482  10.30397  1.487490   70.23    0.5300     50.879    101.764
36     2324.27135   0.15000  1.000000                       50.184            
37       94.55257   6.65369  1.620411   60.29    0.5427     49.182    149.795
38    -6865.35846    (可変)  1.000000                       47.858            
39        0.00000   3.42001  1.000000                       29.979            
40      -46.19515   1.50000  1.772499   49.60    0.5520     29.287    -26.090
41       36.57162   7.10685  1.784723   25.68    0.6161     28.979     26.126
42      -43.54940   1.50000  1.772499   49.60    0.5520     28.893    -34.363
43       69.86356   5.93408  1.000000                       28.574            
44      -41.02364  19.74135  1.772499   49.60    0.5520     28.979    258.686
45      -41.22759   8.40424  1.000000                       37.078            
46     -195.56244   4.77545  1.620411   60.29    0.5427     37.582    135.121
47      -59.39126   0.20000  1.000000                       37.840            
48      277.98387   1.80000  1.882997   40.76    0.5667     36.813    -49.733
49       37.99810   7.72961  1.487490   70.23    0.5300     35.677     54.329
50      -82.49109   0.20000  1.000000                       35.709            
51       81.35435   8.16725  1.487490   70.23    0.5300     34.964     47.127
52      -31.10579   1.80000  1.834000   37.16    0.5776     34.703    -44.055
53     -201.10263   0.20000  1.000000                       35.023            
54      180.09066   6.65295  1.487490   70.23    0.5300     34.926     68.098
55      -40.37306   5.00000  1.000000                       34.739            
56        0.00000  33.00000  1.608590   46.44    0.5664     40.000            
57        0.00000  13.20000  1.516330   64.15    0.5352     40.000            
58        0.00000  12.00000  1.000000                       40.000            
像面
【０１１４】
非球面データ
第1面
K = 1.68492e+004  A 4= 2.64785e-008  A 6=-1.47610e-012  A 8= 8.96960e-017  A10=-3.30657e-021  
第18面
K =-1.44619e-001  A 4=-7.46282e-009  A 6=-2.04300e-013  A 8= 1.70939e-017  A10=-3.75331e-021  
各種データ
ズーム比      1.00 
焦点距離       6.70  
Fナンバー      1.50  
半画角        39.38  
像高           5.50  
レンズ全長   589.19  
BF            46.17  
d19            3.93  
d27          173.49  
d38            1.30  
d58           12.00  
入射瞳位置     107.96  
射出瞳位置     328.64  
前側主点位置   114.80  
後側主点位置     5.30  
ズームレンズ群データ
群  始面    焦点距離  レンズ構成長  前側主点位置  後側主点位置
1    1     120.59       216.39       131.11         72.76
2   20     -30.00        29.61        13.82         -6.54
3   28      50.00        39.16        11.50        -15.21
4   39      40.05       130.33        45.82         10.33
【０１１５】
＜数値実施例８＞
単位 mm
面番号i     ri        di       ndi       vdi      θgFi    有効径   焦点距離
1    17634.27085   4.70000  1.696797   55.53    0.5434    183.192   -158.048
2      109.89881  46.91956  1.000000                      152.380            
3     -201.32462   4.50000  1.696797   55.53    0.5434    151.931   -258.938
4     1829.57686   0.15000  1.000000                      154.998            
5      283.52253  12.63988  1.805181   25.42    0.6161    158.027    400.193
6     2167.46361   5.14617  1.000000                      157.760            
7    -2805.89626  18.48548  1.487490   70.23    0.5300    157.470    430.891
8     -196.46713   0.20000  1.000000                      157.293            
9    -1000.46915   4.40000  1.805181   25.42    0.6161    149.488   -462.888
10      603.99761  16.54806  1.487490   70.23    0.5300    146.782    419.320
11     -307.78183  32.56358  1.000000                      146.029            
12      315.15572  17.48057  1.487490   70.23    0.5300    155.937    424.194
13     -596.32026   0.15000  1.000000                      156.087            
14      191.13666   4.40000  1.805181   25.42    0.6161    155.178   -390.576
15      118.06534   0.38536  1.000000                      149.208            
16      119.29093  35.44036  1.487490   70.23    0.5300    149.239    203.020
17     -534.94067   0.15000  1.000000                      148.581            
18      200.94019  12.13262  1.620411   60.29    0.5427    141.587    423.066
19      826.60720    (可変)  1.000000                      140.299            
20      129.42474   1.50000  1.882997   40.76    0.5667     52.293   -147.299
21       64.70538   6.89982  1.000000                       48.692            
22     -200.59165   1.50000  1.729157   54.68    0.5444     47.845    -47.089
23       41.77592  10.45708  1.846660   23.78    0.6205     43.428     36.240
24     -106.13437   1.50000  1.729157   54.68    0.5444     42.528    -64.952
25       86.71459   6.25454  1.000000                       41.002            
26      -81.26395   1.50000  1.882997   40.76    0.5667     40.909    -67.273
27      227.62743    (可変)  1.000000                       41.934            
28      600.75417   6.75242  1.620411   60.29    0.5427     51.995    154.562
29     -114.14793   0.15000  1.000000                       52.853            
30      117.66770  11.70590  1.487490   70.23    0.5300     53.849     95.976
31      -75.55843   0.09304  1.000000                       53.665            
32      -76.87444   1.60000  1.805181   25.42    0.6161     53.568   -222.857
33     -134.82035   0.15000  1.000000                       53.886            
34       86.22575   1.60000  1.805181   25.42    0.6161     52.649   -141.089
35       48.80482  10.30397  1.487490   70.23    0.5300     50.879    101.764
36     2324.27135   0.15000  1.000000                       50.184            
37       94.55257   6.65369  1.620411   60.29    0.5427     49.182    149.795
38    -6865.35846    (可変)  1.000000                       47.858            
39        0.00000   3.42001  1.000000                       29.979            
40      -46.19515   1.50000  1.772499   49.60    0.5520     29.287    -26.090
41       36.57162   7.10685  1.784723   25.68    0.6161     28.979     26.126
42      -43.54940   1.50000  1.772499   49.60    0.5520     28.893    -34.363
43       69.86356   5.93408  1.000000                       28.574            
44      -41.02364  19.74135  1.772499   49.60    0.5520     28.979    258.686
45      -41.22759   8.40424  1.000000                       37.078            
46     -195.56244   4.77545  1.620411   60.29    0.5427     37.582    135.121
47      -59.39126   0.20000  1.000000                       37.840            
48      277.98387   1.80000  1.882997   40.76    0.5667     36.813    -49.733
49       37.99810   7.72961  1.487490   70.23    0.5300     35.677     54.329
50      -82.49109   0.20000  1.000000                       35.709            
51       81.35435   8.16725  1.487490   70.23    0.5300     34.964     47.127
52      -31.10579   1.80000  1.834000   37.16    0.5776     34.703    -44.055
53     -201.10263   0.20000  1.000000                       35.023            
54      180.09066   6.65295  1.487490   70.23    0.5300     34.926     68.098
55      -40.37306    (可変)  1.000000                       34.739            
56       51.38436   1.20000  1.816000   46.62    0.5568     30.382    -64.847
57       25.85962   5.52640  1.000000                       28.663            
58     -218.16737   1.20000  1.882997   40.76    0.5667     28.720    -26.633
59       26.59957   5.87585  1.854780   24.80    0.6122     29.350     31.513
60     1094.03416   0.29711  1.000000                       29.543            
61       31.02632   6.81934  1.517417   52.43    0.5564     30.627     45.520
62      -92.15866   1.40000  1.892860   20.36    0.6393     30.289    -84.864
63      458.58537    (可変)  1.000000                       29.976            
64        0.00000  63.04000  1.608590   46.44    0.5664     40.000            
65        0.00000   8.70000  1.516330   64.15    0.5352     40.000            
66        0.00000  19.17000  1.000000                       40.000            
像面
【０１１６】
非球面データ
第1面
K = 1.68492e+004  A 4= 2.64785e-008  A 6=-1.47610e-012  A 8= 8.96960e-017  A10=-3.30657e-021  
第18面
K =-1.44619e-001  A 4=-7.46282e-009  A 6=-2.04300e-013  A 8= 1.70939e-017  A10=-3.75331e-021  
各種データ
焦点距離      12.26  
Fナンバー      2.74  
半画角        39.19  
像高          10.00  
レンズ全長   635.44  
BF            69.01  
d19            3.93  
d27          173.49  
d38            1.30  
入射瞳位置     107.96  
射出瞳位置    -216.42  
前側主点位置   119.58  
後側主点位置     6.91  
ズームレンズ群データ
群  始面    焦点距離  レンズ構成長  前側主点位置  後側主点位置
1    1     120.59       216.39       131.11         72.76
2   20     -30.00        29.61        13.82         -6.54
3   28      50.00        39.16        11.50        -15.21
4   39      40.05        79.13        45.82         44.50
5   56    -105.32        22.32        -2.70        -18.44
6   64       ∞          71.74        22.42        -22.42
【０１１７】
＜数値実施例９＞
単位 mm
面番号i     ri        di       ndi       vdi      θgFi    有効径   焦点距離
1    17634.27085   4.70000  1.696797   55.53    0.5434    183.192   -158.048
2      109.89881  46.91956  1.000000                      152.380            
3     -201.32462   4.50000  1.696797   55.53    0.5434    151.931   -258.938
4     1829.57686   0.15000  1.000000                      154.998            
5      283.52253  12.63988  1.805181   25.42    0.6161    158.027    400.193
6     2167.46361   5.14617  1.000000                      157.760            
7    -2805.89626  18.48548  1.487490   70.23    0.5300    157.470    430.891
8     -196.46713   0.20000  1.000000                      157.293            
9    -1000.46915   4.40000  1.805181   25.42    0.6161    149.488   -462.888
10      603.99761  16.54806  1.487490   70.23    0.5300    146.782    419.320
11     -307.78183  32.56358  1.000000                      146.029            
12      315.15572  17.48057  1.487490   70.23    0.5300    155.937    424.194
13     -596.32026   0.15000  1.000000                      156.087            
14      191.13666   4.40000  1.805181   25.42    0.6161    155.178   -390.576
15      118.06534   0.38536  1.000000                      149.208            
16      119.29093  35.44036  1.487490   70.23    0.5300    149.239    203.020
17     -534.94067   0.15000  1.000000                      148.581            
18      200.94019  12.13262  1.620411   60.29    0.5427    141.587    423.066
19      826.60720    (可変)  1.000000                      140.299            
20      129.42474   1.50000  1.882997   40.76    0.5667     52.293   -147.299
21       64.70538   6.89982  1.000000                       48.692            
22     -200.59165   1.50000  1.729157   54.68    0.5444     47.845    -47.089
23       41.77592  10.45708  1.846660   23.78    0.6205     43.428     36.240
24     -106.13437   1.50000  1.729157   54.68    0.5444     42.528    -64.952
25       86.71459   6.25454  1.000000                       41.002            
26      -81.26395   1.50000  1.882997   40.76    0.5667     40.909    -67.273
27      227.62743    (可変)  1.000000                       41.934            
28      600.75417   6.75242  1.620411   60.29    0.5427     51.995    154.562
29     -114.14793   0.15000  1.000000                       52.853            
30      117.66770  11.70590  1.487490   70.23    0.5300     53.849     95.976
31      -75.55843   0.09304  1.000000                       53.665            
32      -76.87444   1.60000  1.805181   25.42    0.6161     53.568   -222.857
33     -134.82035   0.15000  1.000000                       53.886            
34       86.22575   1.60000  1.805181   25.42    0.6161     52.649   -141.089
35       48.80482  10.30397  1.487490   70.23    0.5300     50.879    101.764
36     2324.27135   0.15000  1.000000                       50.184            
37       94.55257   6.65369  1.620411   60.29    0.5427     49.182    149.795
38    -6865.35846    (可変)  1.000000                       47.858            
39        0.00000   3.42001  1.000000                       29.979            
40      -46.19515   1.50000  1.772499   49.60    0.5520     29.287    -26.090
41       36.57162   7.10685  1.784723   25.68    0.6161     28.979     26.126
42      -43.54940   1.50000  1.772499   49.60    0.5520     28.893    -34.363
43       69.86356   5.93408  1.000000                       28.574            
44      -41.02364  19.74135  1.772499   49.60    0.5520     28.979    258.686
45      -41.22759   8.40424  1.000000                       37.078            
46     -195.56244   4.77545  1.620411   60.29    0.5427     37.582    135.121
47      -59.39126   0.20000  1.000000                       37.840            
48      277.98387   1.80000  1.882997   40.76    0.5667     36.813    -49.733
49       37.99810   7.72961  1.487490   70.23    0.5300     35.677     54.329
50      -82.49109   0.20000  1.000000                       35.709            
51       81.35435   8.16725  1.487490   70.23    0.5300     34.964     47.127
52      -31.10579   1.80000  1.834000   37.16    0.5776     34.703    -44.055
53     -201.10263   0.20000  1.000000                       35.023            
54      180.09066   6.65295  1.487490   70.23    0.5300     34.926     68.098
55      -40.37306    (可変)  1.000000                       34.739            
56      102.42940   1.20000  1.816000   46.62    0.5568     27.927    -41.866
57       25.58077   6.21920  1.000000                       26.476            
58      -63.67554   1.20000  1.882997   40.76    0.5667     26.821    -26.006
59       36.56599   8.09115  1.854780   24.80    0.6122     28.885     31.063
60      -90.11278   6.00026  1.000000                       30.369            
61       45.07392   6.69230  1.518229   58.90    0.5457     34.989     65.491
62     -132.57125   1.40000  1.858956   22.73    0.6284     34.937    -80.629
63      148.91622   0.29478  1.000000                       35.039            
64       58.50724   6.37305  1.517417   52.43    0.5564     35.573     71.819
65      -99.28427    (可変)  1.000000                       35.472            
66        0.00000  63.04000  1.608590   46.44    0.5664     40.000            
67        0.00000   8.70000  1.516330   64.15    0.5352     40.000            
68        0.00000  12.10000  1.000000                       40.000            
像面
【０１１８】
非球面データ
第1面
K = 1.68492e+004  A 4= 2.64785e-008  A 6=-1.47610e-012  A 8= 8.96960e-017  A10=-3.30657e-021  
第18面
K =-1.44619e-001  A 4=-7.46282e-009  A 6=-2.04300e-013  A 8= 1.70939e-017  A10=-3.75331e-021  
各種データ
焦点距離      11.27  
Fナンバー      2.52  
半画角        39.38  
像高           9.25  
レンズ全長   649.52  
BF            61.94  
d19            3.93  
d27          173.49  
d38            1.30  
入射瞳位置     107.96  
射出瞳位置    2128.41  
前側主点位置   119.28  
後側主点位置     0.83  
ズームレンズ群データ
群  始面    焦点距離  レンズ構成長  前側主点位置  後側主点位置
1    1     120.59       216.39       131.11         72.76
2   20     -30.00        29.61        13.82         -6.54
3   28      50.00        39.16        11.50        -15.21
4   39      40.05        79.13        45.82         44.50
5   56    -923.28        37.47      -335.23       -567.57
6   66       ∞          71.74        22.42        -22.42
【０１１９】
＜数値実施例１０＞
単位 mm
面番号i     ri        di       ndi       vdi      θgFi    有効径   焦点距離
1    17634.27085   4.70000  1.696797   55.53    0.5434    183.192   -158.048
2      109.89881  46.91956  1.000000                      152.380            
3     -201.32462   4.50000  1.696797   55.53    0.5434    151.931   -258.938
4     1829.57686   0.15000  1.000000                      154.998            
5      283.52253  12.63988  1.805181   25.42    0.6161    158.027    400.193
6     2167.46361   5.14617  1.000000                      157.760            
7    -2805.89626  18.48548  1.487490   70.23    0.5300    157.470    430.891
8     -196.46713   0.20000  1.000000                      157.293            
9    -1000.46915   4.40000  1.805181   25.42    0.6161    149.488   -462.888
10      603.99761  16.54806  1.487490   70.23    0.5300    146.782    419.320
11     -307.78183  32.56358  1.000000                      146.029            
12      315.15572  17.48057  1.487490   70.23    0.5300    155.937    424.194
13     -596.32026   0.15000  1.000000                      156.087            
14      191.13666   4.40000  1.805181   25.42    0.6161    155.178   -390.576
15      118.06534   0.38536  1.000000                      149.208            
16      119.29093  35.44036  1.487490   70.23    0.5300    149.239    203.020
17     -534.94067   0.15000  1.000000                      148.581            
18      200.94019  12.13262  1.620411   60.29    0.5427    141.587    423.066
19      826.60720    (可変)  1.000000                      140.299            
20      129.42474   1.50000  1.882997   40.76    0.5667     52.293   -147.299
21       64.70538   6.89982  1.000000                       48.692            
22     -200.59165   1.50000  1.729157   54.68    0.5444     47.845    -47.089
23       41.77592  10.45708  1.846660   23.78    0.6205     43.428     36.240
24     -106.13437   1.50000  1.729157   54.68    0.5444     42.528    -64.952
25       86.71459   6.25454  1.000000                       41.002            
26      -81.26395   1.50000  1.882997   40.76    0.5667     40.909    -67.273
27      227.62743    (可変)  1.000000                       41.934            
28      600.75417   6.75242  1.620411   60.29    0.5427     51.995    154.562
29     -114.14793   0.15000  1.000000                       52.853            
30      117.66770  11.70590  1.487490   70.23    0.5300     53.849     95.976
31      -75.55843   0.09304  1.000000                       53.665            
32      -76.87444   1.60000  1.805181   25.42    0.6161     53.568   -222.857
33     -134.82035   0.15000  1.000000                       53.886            
34       86.22575   1.60000  1.805181   25.42    0.6161     52.649   -141.089
35       48.80482  10.30397  1.487490   70.23    0.5300     50.879    101.764
36     2324.27135   0.15000  1.000000                       50.184            
37       94.55257   6.65369  1.620411   60.29    0.5427     49.182    149.795
38    -6865.35846    (可変)  1.000000                       47.858            
39        0.00000   3.42001  1.000000                       29.979            
40      -46.19515   1.50000  1.772499   49.60    0.5520     29.287    -26.090
41       36.57162   7.10685  1.784723   25.68    0.6161     28.979     26.126
42      -43.54940   1.50000  1.772499   49.60    0.5520     28.893    -34.363
43       69.86356   5.93408  1.000000                       28.574            
44      -41.02364  19.74135  1.772499   49.60    0.5520     28.979    258.686
45      -41.22759   8.40424  1.000000                       37.078            
46     -195.56244   4.77545  1.620411   60.29    0.5427     37.582    135.121
47      -59.39126   0.20000  1.000000                       37.840            
48      277.98387   1.80000  1.882997   40.76    0.5667     36.813    -49.733
49       37.99810   7.72961  1.487490   70.23    0.5300     35.677     54.329
50      -82.49109   0.20000  1.000000                       35.709            
51       81.35435   8.16725  1.487490   70.23    0.5300     34.964     47.127
52      -31.10579   1.80000  1.834000   37.16    0.5776     34.703    -44.055
53     -201.10263   0.20000  1.000000                       35.023            
54      180.09066   6.65295  1.487490   70.23    0.5300     34.926     68.098
55      -40.37306    (可変)  1.000000                       34.739            
56      122.49654   1.20000  1.772499   49.60    0.5520     27.524    -26.603
57       17.59482   3.48717  1.595509   39.24    0.5803     25.475     83.595
58       25.10992   6.53755  1.000000                       25.224            
59      -42.36220   1.20000  1.816000   46.62    0.5568     25.734    -27.200
60       47.72575   6.75604  1.854780   24.80    0.6122     28.604     43.010
61     -155.95637   4.84863  1.000000                       30.516            
62       54.59991   9.12000  1.496999   81.54    0.5375     37.552     55.753
63      -53.45226   0.19457  1.000000                       38.049            
64       73.07279   7.01483  1.717362   29.52    0.6047     37.743     50.801
65      -70.89153   1.40000  1.959060   17.47    0.6598     37.229    -73.637
66    -7588.83672    (可変)  1.000000                       36.660            
67        0.00000  63.04000  1.608590   46.44    0.5664     40.000            
68        0.00000   8.70000  1.516330   64.15    0.5352     40.000            
69        0.00000  12.09000  1.000000                       40.000            
像面
【０１２０】
非球面データ
第1面
K = 1.68492e+004  A 4= 2.64785e-008  A 6=-1.47610e-012  A 8= 8.96960e-017  A10=-3.30657e-021  
第18面
K =-1.44619e-001  A 4=-7.46282e-009  A 6=-2.04300e-013  A 8= 1.70939e-017  A10=-3.75331e-021  
各種データ
焦点距離      11.27  
Fナンバー      2.52  
半画角        39.38  
像高           9.25  
レンズ全長   654.80  
BF            61.94  
d19            3.93  
d27          173.49  
d38            1.30  
入射瞳位置     107.96  
射出瞳位置     613.57  
前側主点位置   119.44  
後側主点位置     0.82  
ズームレンズ群データ
群  始面    焦点距離  レンズ構成長  前側主点位置  後側主点位置
1    1     120.59       216.39       131.11         72.76
2   20     -30.00        29.61        13.82         -6.54
3   28      50.00        39.16        11.50        -15.21
4   39      40.05        79.13        45.82         44.50
5   56    1088.94        41.76       479.54        804.39
6   67       ∞          71.74        22.42        -22.42
【０１２１】
＜数値実施例１１＞
単位 mm
面番号i     ri        di       ndi       vdi      θgFi    有効径   焦点距離
1    17634.27085   4.70000  1.696797   55.53    0.5434    183.192   -158.048
2      109.89881  46.91956  1.000000                      152.380            
3     -201.32462   4.50000  1.696797   55.53    0.5434    151.931   -258.938
4     1829.57686   0.15000  1.000000                      154.998            
5      283.52253  12.63988  1.805181   25.42    0.6161    158.027    400.193
6     2167.46361   5.14617  1.000000                      157.760            
7    -2805.89626  18.48548  1.487490   70.23    0.5300    157.470    430.891
8     -196.46713   0.20000  1.000000                      157.293            
9    -1000.46915   4.40000  1.805181   25.42    0.6161    149.488   -462.888
10      603.99761  16.54806  1.487490   70.23    0.5300    146.782    419.320
11     -307.78183  32.56358  1.000000                      146.029            
12      315.15572  17.48057  1.487490   70.23    0.5300    155.937    424.194
13     -596.32026   0.15000  1.000000                      156.087            
14      191.13666   4.40000  1.805181   25.42    0.6161    155.178   -390.576
15      118.06534   0.38536  1.000000                      149.208            
16      119.29093  35.44036  1.487490   70.23    0.5300    149.239    203.020
17     -534.94067   0.15000  1.000000                      148.581            
18      200.94019  12.13262  1.620411   60.29    0.5427    141.587    423.066
19      826.60720    (可変)  1.000000                      140.299            
20      129.42474   1.50000  1.882997   40.76    0.5667     52.293   -147.299
21       64.70538   6.89982  1.000000                       48.692            
22     -200.59165   1.50000  1.729157   54.68    0.5444     47.845    -47.089
23       41.77592  10.45708  1.846660   23.78    0.6205     43.428     36.240
24     -106.13437   1.50000  1.729157   54.68    0.5444     42.528    -64.952
25       86.71459   6.25454  1.000000                       41.002            
26      -81.26395   1.50000  1.882997   40.76    0.5667     40.909    -67.273
27      227.62743    (可変)  1.000000                       41.934            
28      600.75417   6.75242  1.620411   60.29    0.5427     51.995    154.562
29     -114.14793   0.15000  1.000000                       52.853            
30      117.66770  11.70590  1.487490   70.23    0.5300     53.849     95.976
31      -75.55843   0.09304  1.000000                       53.665            
32      -76.87444   1.60000  1.805181   25.42    0.6161     53.568   -222.857
33     -134.82035   0.15000  1.000000                       53.886            
34       86.22575   1.60000  1.805181   25.42    0.6161     52.649   -141.089
35       48.80482  10.30397  1.487490   70.23    0.5300     50.879    101.764
36     2324.27135   0.15000  1.000000                       50.184            
37       94.55257   6.65369  1.620411   60.29    0.5427     49.182    149.795
38    -6865.35846    (可変)  1.000000                       47.858            
39        0.00000   3.42001  1.000000                       29.979            
40      -46.19515   1.50000  1.772499   49.60    0.5520     29.287    -26.090
41       36.57162   7.10685  1.784723   25.68    0.6161     28.979     26.126
42      -43.54940   1.50000  1.772499   49.60    0.5520     28.893    -34.363
43       69.86356   5.93408  1.000000                       28.574            
44      -41.02364  19.74135  1.772499   49.60    0.5520     28.979    258.686
45      -41.22759   8.40424  1.000000                       37.078            
46     -195.56244   4.77545  1.620411   60.29    0.5427     37.582    135.121
47      -59.39126   0.20000  1.000000                       37.840            
48      277.98387   1.80000  1.882997   40.76    0.5667     36.813    -49.733
49       37.99810   7.72961  1.487490   70.23    0.5300     35.677     54.329
50      -82.49109   0.20000  1.000000                       35.709            
51       81.35435   8.16725  1.487490   70.23    0.5300     34.964     47.127
52      -31.10579   1.80000  1.834000   37.16    0.5776     34.703    -44.055
53     -201.10263   0.20000  1.000000                       35.023            
54      180.09066   6.65295  1.487490   70.23    0.5300     34.926     68.098
55      -40.37306    (可変)  1.000000                       34.739            
56       97.01803   1.20000  1.729157   54.68    0.5444     29.456    -33.237
57       19.35705   3.99834  1.567322   42.82    0.5731     27.228    123.781
58       24.66648   6.77540  1.000000                       26.652            
59      -53.55681   1.20000  1.772499   49.60    0.5520     27.052    -53.863
60      192.46239   4.96698  1.892860   20.36    0.6393     28.532     85.236
61     -126.72554   0.29985  1.000000                       29.904            
62       57.54390   3.87674  1.805181   25.42    0.6161     31.694     83.883
63      358.11680   1.40000  2.101950   16.78    0.6719     31.720   -103.041
64       86.93779   0.20000  1.000000                       31.716            
65       36.61547   7.53595  1.438750   94.93    0.5340     32.843     58.819
66      -82.63022    (可変)  1.000000                       32.782            
67        0.00000  63.04000  1.608590   46.44    0.5664     40.000            
68        0.00000   8.70000  1.516330   64.15    0.5352     40.000            
69        0.00000  12.10000  1.000000                       40.000            
像面
【０１２２】
非球面データ
第1面
K = 1.68492e+004  A 4= 2.64785e-008  A 6=-1.47610e-012  A 8= 8.96960e-017  A10=-3.30657e-021  
第18面
K =-1.44619e-001  A 4=-7.46282e-009  A 6=-2.04300e-013  A 8= 1.70939e-017  A10=-3.75331e-021  
各種データ
焦点距離      11.37  
Fナンバー      2.54  
半画角        39.14  
像高           9.25  
レンズ全長   640.51  
BF            61.94  
d19            3.93  
d27          173.49  
d38            1.30  
入射瞳位置     107.96  
射出瞳位置    -574.46  
前側主点位置   119.10  
後側主点位置     0.73  
ズームレンズ群データ
群  始面    焦点距離  レンズ構成長  前側主点位置  後側主点位置
1    1     120.59       216.39       131.11         72.76
2   20     -30.00        29.61        13.82         -6.54
3   28      50.00        39.16        11.50        -15.21
4   39      40.05        79.13        45.82         44.50
5   56    -210.36        31.45       -44.28        -84.56
6   67       ∞          71.74        22.42        -22.42
【０１２３】
＜数値実施例１２＞
単位 mm
面番号i     ri        di       ndi       vdi      θgFi    有効径   焦点距離
1    17634.27085   4.70000  1.696797   55.53    0.5434    183.192   -158.048
2      109.89881  46.91956  1.000000                      152.380            
3     -201.32462   4.50000  1.696797   55.53    0.5434    151.931   -258.938
4     1829.57686   0.15000  1.000000                      154.998            
5      283.52253  12.63988  1.805181   25.42    0.6161    158.027    400.193
6     2167.46361   5.14617  1.000000                      157.760            
7    -2805.89626  18.48548  1.487490   70.23    0.5300    157.470    430.891
8     -196.46713   0.20000  1.000000                      157.293            
9    -1000.46915   4.40000  1.805181   25.42    0.6161    149.488   -462.888
10      603.99761  16.54806  1.487490   70.23    0.5300    146.782    419.320
11     -307.78183  32.56358  1.000000                      146.029            
12      315.15572  17.48057  1.487490   70.23    0.5300    155.937    424.194
13     -596.32026   0.15000  1.000000                      156.087            
14      191.13666   4.40000  1.805181   25.42    0.6161    155.178   -390.576
15      118.06534   0.38536  1.000000                      149.208            
16      119.29093  35.44036  1.487490   70.23    0.5300    149.239    203.020
17     -534.94067   0.15000  1.000000                      148.581            
18      200.94019  12.13262  1.620411   60.29    0.5427    141.587    423.066
19      826.60720    (可変)  1.000000                      140.299            
20      129.42474   1.50000  1.882997   40.76    0.5667     52.293   -147.299
21       64.70538   6.89982  1.000000                       48.692            
22     -200.59165   1.50000  1.729157   54.68    0.5444     47.845    -47.089
23       41.77592  10.45708  1.846660   23.78    0.6205     43.428     36.240
24     -106.13437   1.50000  1.729157   54.68    0.5444     42.528    -64.952
25       86.71459   6.25454  1.000000                       41.002            
26      -81.26395   1.50000  1.882997   40.76    0.5667     40.909    -67.273
27      227.62743    (可変)  1.000000                       41.934            
28      600.75417   6.75242  1.620411   60.29    0.5427     51.995    154.562
29     -114.14793   0.15000  1.000000                       52.853            
30      117.66770  11.70590  1.487490   70.23    0.5300     53.849     95.976
31      -75.55843   0.09304  1.000000                       53.665            
32      -76.87444   1.60000  1.805181   25.42    0.6161     53.568   -222.857
33     -134.82035   0.15000  1.000000                       53.886            
34       86.22575   1.60000  1.805181   25.42    0.6161     52.649   -141.089
35       48.80482  10.30397  1.487490   70.23    0.5300     50.879    101.764
36     2324.27135   0.15000  1.000000                       50.184            
37       94.55257   6.65369  1.620411   60.29    0.5427     49.182    149.795
38    -6865.35846    (可変)  1.000000                       47.858            
39        0.00000   3.42001  1.000000                       29.979            
40      -46.19515   1.50000  1.772499   49.60    0.5520     29.287    -26.090
41       36.57162   7.10685  1.784723   25.68    0.6161     28.979     26.126
42      -43.54940   1.50000  1.772499   49.60    0.5520     28.893    -34.363
43       69.86356   5.93408  1.000000                       28.574            
44      -41.02364  19.74135  1.772499   49.60    0.5520     28.979    258.686
45      -41.22759   8.40424  1.000000                       37.078            
46     -195.56244   4.77545  1.620411   60.29    0.5427     37.582    135.121
47      -59.39126   0.20000  1.000000                       37.840            
48      277.98387   1.80000  1.882997   40.76    0.5667     36.813    -49.733
49       37.99810   7.72961  1.487490   70.23    0.5300     35.677     54.329
50      -82.49109   0.20000  1.000000                       35.709            
51       81.35435   8.16725  1.487490   70.23    0.5300     34.964     47.127
52      -31.10579   1.80000  1.834000   37.16    0.5776     34.703    -44.055
53     -201.10263   0.20000  1.000000                       35.023            
54      180.09066   6.65295  1.487490   70.23    0.5300     34.926     68.098
55      -40.37306    (可変)  1.000000                       34.739            
56      111.86495   1.49999  2.001000   29.13    0.5997     27.244    -51.897
57       35.43070   1.52409  1.000000                       26.077            
58       67.90542   1.50000  2.001000   29.13    0.5997     26.090    -27.057
59       19.25749   7.94780  1.808095   22.76    0.6307     25.224     22.508
60     -327.06502   9.64507  1.000000                       25.174            
61      -72.19714   2.00000  1.882997   40.76    0.5667     24.350    -24.455
62       31.46977   5.88518  1.548141   45.79    0.5686     24.977     40.731
63      -73.03620  15.62713  1.000000                       25.709            
64      -34.74062   1.50000  1.922860   20.88    0.6391     30.091    -53.454
65     -116.82126   7.21794  1.805181   25.42    0.6161     32.455     42.148
66      -27.21962  60.00000  1.000000                       34.000            
像面
【０１２４】
非球面データ
第1面
K = 1.68492e+004  A 4= 2.64785e-008  A 6=-1.47610e-012  A 8= 8.96960e-017  A10=-3.30657e-021  
第18面
K =-1.44619e-001  A 4=-7.46282e-009  A 6=-2.04300e-013  A 8= 1.70939e-017  A10=-3.75331e-021  
各種データ
焦点距離      19.08  
Fナンバー      4.27  
半画角        39.19  
像高          15.55  
レンズ全長   669.37  
BF            60.00  
d19            3.93  
d27          173.49  
d38            1.30  
入射瞳位置     107.96  
射出瞳位置    -233.86  
前側主点位置   125.79  
後側主点位置    40.92  
ズームレンズ群データ
群  始面    焦点距離  レンズ構成長  前側主点位置  後側主点位置
1    1     120.59       216.39       131.11         72.76
2   20     -30.00        29.61        13.82         -6.54
3   28      50.00        39.16        11.50        -15.21
4   39      40.05        79.13        45.82         44.50
5   56     -92.61        54.35       -25.91       -111.06
【０１２５】
【表１】
2018060093.tif 000004
【０１２６】
【表２】
2018060093.tif 000005
【符号の説明】
【０１２７】
ＭＬ  ：  マスターレンズ（交換レンズ）
ＣＬ  ：  コンバータレンズ
【図１】
2018060093.tif 000006
【図２】
2018060093.tif 000007
【図３】
2018060093.tif 000008
【図４】
2018060093.tif 000009
【図５】
2018060093.tif 000010
【図６】
2018060093.tif 000011
【図７】
2018060093.tif 000012
【図８】
2018060093.tif 000013
【図９】
2018060093.tif 000014
【図１０】
2018060093.tif 000015
【図１１】
2018060093.tif 000016
【図１２】
2018060093.tif 000017
【図１３】
2018060093.tif 000018
【図１４】
2018060093.tif 000019
【図１５】
2018060093.tif 000020
【図１６】
2018060093.tif 000021
【図１７】
2018060093.tif 000022
【図１８】
2018060093.tif 000023
【図１９】
2018060093.tif 000024
【図２０】
2018060093.tif 000025
【図２１】
2018060093.tif 000026
【図２２】
2018060093.tif 000027
【図２３】
2018060093.tif 000028
【図２４】
2018060093.tif 000029
【図２５】
2018060093.tif 000030
【図２６】
2018060093.tif 000031
【図２７】
2018060093.tif 000032
【図２８】
2018060093.tif 000033
【図２９】
2018060093.tif 000034
【図３０】
2018060093.tif 000035
【図３１】
2018060093.tif 000036